(57)【特許請求の範囲】
【請求項１】
デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記デジタル放送信号受信部からのデジタル放送信号とともに前記映像差分情報記憶部からの同一映像位置情報を記録媒体に記録する記録再生部、
を備えたことを特徴とする記録再生装置。
【請求項２】
デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記映像差分情報記憶部からの複数の同一映像位置情報を記憶し、記憶している前記複数の同一映像位置情報に基づいて、重複映像区間を示す重複映像区間情報を出力する重複映像区間記憶部と、
前記デジタル放送信号受信部からのデジタル放送信号とともに前記重複映像区間記憶部からの重複映像区間情報を記録媒体に記録する第二記録再生部、
を備えたことを特徴とする記録再生装置。
【請求項３】
デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記映像差分情報記憶部からの複数の同一映像位置情報を記憶し、記憶している前記複数の同一映像位置情報に基づいて、重複映像区間を示す重複映像区間情報を出力する重複映像区間記憶部と、
前記重複映像区間記憶部からの重複映像区間情報に基づいて、ＣＭ区間を検出してそのＣＭ区間を示すＣＭ区間情報を出力するＣＭ区間検出部と、
前記デジタル放送信号受信部からのデジタル放送信号とともに前記ＣＭ区間検出部からのＣＭ区間情報を記録媒体に記録する第三記録再生部、
を備えたことを特徴とする記録再生装置。
【請求項４】
前記第三記録再生部が、前記デジタル放送信号を記録する記録媒体上のファイルまたは記録したデジタル放送信号の先頭位置のファイルに前記ＣＭ区間情報を記録するよう構成したことを特徴とする請求項３に記載の記録再生装置。
【請求項５】
前記デジタル放送信号受信部からのデジタル放送信号を一時的に蓄積するデジタル放送信号記憶部を前記デジタル放送信号受信部と前記第三記録再生部との間に設けて、
前記第三記録再生部が、入力したＣＭ区間情報によりＣＭ区間として指定されるデジタル放送信号の先頭位置に前記ＣＭ区間情報を記録するよう構成したことを特徴とする請求項３に記載の記録再生装置。
【請求項６】
デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記映像差分情報記憶部からの複数の同一映像位置情報を記憶し、記憶している前記複数の同一映像位置情報に基づいて、重複映像区間を示す重複映像区間情報を出力する重複映像区間記憶部と、
前記重複映像区間記憶部からの重複映像区間情報に基づいて、ＣＭ区間を検出してそのＣＭ区間を示すＣＭ区間情報を出力するＣＭ区間検出部と、
前記デジタル放送信号受信部からのデジタル放送信号を一時的に蓄積して、前記ＣＭ区間検出部からのＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力するデジタル放送信号記憶部と、
前記デジタル放送信号記憶部からの記憶デジタル放送信号を記録媒体に記録する第四記録再生部、
を備えたことを特徴とする記録再生装置。
【請求項７】
デジタル放送信号を受信して、前記デジタル放送信号及びそのデジタル放送信号に含まれたデジタル映像情報を出力するデジタル放送信号受信部と、
前記デジタル放送信号受信部からデジタル映像情報をフレーム単位に入力して、そのデジタル映像情報に含まれた動きベクトル情報を抽出して出力する動きベクトル検出部と、
前記動きベクトル検出部からの複数のフレーム分の動きベクトル情報を記憶して、記憶動きベクトル情報としてフレーム単位に出力する動きベクトル情報記憶部と、
前記動きベクトル検出部から入力した動きベクトル情報と前記動きベクトル情報記憶部から入力した記憶動きベクトル情報を比較して、その比較結果に基づいて、同一映像位置情報をフレーム単位に生成する動きベクトル差分情報検出部と、
前記動きベクトル差分情報検出部からの同一映像位置情報を記憶する映像差分情報記憶部と、
前記デジタル放送信号受信部からのデジタル放送信号とともに前記映像差分情報記憶部からの同一映像位置情報を記録媒体に記録する記録再生部、
を備えたことを特徴とする記録再生装置。
【請求項８】
前記映像情報記憶部が、前記映像差分情報記憶部から同一映像位置情報を入力して、記憶している複数のフレーム分のデジタル映像情報のうち、入力した同一映像位置情報に基づき１つのフレームを選択して記憶デジタル映像情報として出力するよう構成したことを特徴とする請求項１から６のいずれかに記載の記録再生装置。
【請求項９】
前記動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力するよう構成したことを特徴とする請求項７に記載の記録再生装置。
【請求項１０】
アナログ方式のテレビジョン放送信号を前記デジタル放送信号に変換するＡ／Ｄ変換部を備えたことを特徴とする請求項１から９のいずれかに記載の記録再生装置。
【請求項１１】
前記デジタル放送信号がデジタル圧縮技術により符号化されていることを特徴とする請求項１から１０のいずれかに記載の記録再生装置。
【請求項１２】
前記デジタル放送信号がＭＰＥＧ方式により符号化されていることを特徴とする請求項１から１０のいずれかに記載の記録再生装置。
【請求項１３】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップ
を備えたことを特徴とする記録再生方法。
【請求項１４】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、及び
前記デジタル放送信号受信部からのデジタル放送信号とともに前記重複映像区間情報を記録媒体に記録する記録ステップ
を備えたことを特徴とする記録再生方法。
【請求項１５】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、及び
前記デジタル放送信号受信部からのデジタル放送信号とともに前記ＣＭ区間情報を記録媒体に記録する記録ステップ
を備えたことを特徴とする記録再生方法。
【請求項１６】
前記記録ステップにおいて、前記デジタル放送信号を記録する記録媒体上のファイルまたは記録したデジタル放送信号の先頭位置のファイルに前記ＣＭ区間情報を記録することを特徴とする請求項１５に記載の記録再生方法。
【請求項１７】
前記記録ステップの前に、前記デジタル放送信号受信部からのデジタル放送信号をデジタル放送信号記憶部に一時的に蓄積するデジタル放送信号蓄積ステップを設けて、
前記記録ステップにおいて、前記ＣＭ区間情報によりＣＭ区間として指定されるデジタル放送信号の先頭位置にそのＣＭ区間情報を記録することを特徴とする請求項１５に記載の記録再生方法。
【請求項１８】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、
前記デジタル放送信号受信部からのデジタル放送信号を一時的に蓄積して、前記ＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力する記憶デジタル放送信号出力ステップ、及び
前記記憶デジタル放送信号を記録媒体に記録する記録ステップ
を備えたことを特徴とする記録再生方法。
【請求項１９】
デジタル放送信号を受信して、前記デジタル放送信号及びそのデジタル放送信号に含まれたデジタル映像情報をデジタル放送信号受信部から出力するデジタル放送信号受信ステップ、
前記デジタル放送信号受信部からデジタル映像情報をフレーム単位に入力して、そのデジタル映像情報に含まれた動きベクトル情報を動きベクトル検出部から出力する動きベクトル出力ステップ、
複数のフレーム分の前記動きベクトル情報を動きベクトル情報記憶部に記憶する動きベクトル情報記憶ステップ、
前記動きベクトル情報記憶ステップで動きベクトル情報部に記憶している動きベクトル情報を記憶動きベクトル情報として入力して、入力した動きベクトル情報と前記動きベクトル検出部から今回入力した動きベクトル情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップ
を備えたことを特徴とする記録再生方法。
【請求項２０】
前記映像情報記憶部が、前記映像差分情報記憶部から同一映像位置情報を入力して、記憶している複数のフレーム分のデジタル映像情報のうち、入力した同一映像位置情報に基づき１つのフレームを選択して記憶デジタル映像情報として出力することを特徴とする請求項１３から１８のいずれかに記載の記録再生方法。
【請求項２１】
前記動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力することを特徴とする請求項１９に記載の記録再生装置。
【請求項２２】
前記デジタル放送信号受信ステップの前に、アナログ方式のテレビジョン放送信号を前記デジタル放送信号に変換するＡ／Ｄ変換ステップを設けたことを特徴とする請求項１３から２１のいずれかに記載の記録再生方法。
【請求項２３】
前記デジタル放送信号がデジタル圧縮技術により符号化されていることを特徴とする請求項１３から２２のいずれかに記載の記録再生方法。
【請求項２４】
前記デジタル放送信号がＭＰＥＧ方式により符号化されていることを特徴とする請求項１３から２２のいずれかに記載の記録再生方法。
【請求項２５】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップ
を備えたことを特徴とする記録再生方法。
【請求項２６】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、及び
前記デジタル放送信号受信部からのデジタル放送信号とともに前記重複映像区間情報を記録媒体に記録する記録ステップ
を備えた記録再生プログラムを記録した記録媒体。
【請求項２７】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、及び
前記デジタル放送信号受信部からのデジタル放送信号とともに前記ＣＭ区間情報を記録媒体に記録する記録ステップ
を備えた記録再生プログラムを記録した記録媒体。
【請求項２８】
前記記録ステップにおいて、前記デジタル放送信号を記録する記録媒体上のファイルまたは記録したデジタル放送信号の先頭位置のファイルに前記ＣＭ区間情報を記録することを特徴とする請求項２７に記載の記録媒体。
【請求項２９】
前記記録ステップの前に、前記デジタル放送信号受信部からのデジタル放送信号をデジタル放送信号記憶部に一時的に蓄積するデジタル放送信号蓄積ステップを設けて、
前記記録ステップにおいて、前記ＣＭ区間情報によりＣＭ区間として指定されるデジタル放送信号の先頭位置にそのＣＭ区間情報を記録することを特徴とする請求項２７に記載の記録媒体。
【請求項３０】
デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、
前記デジタル放送信号受信部からのデジタル放送信号を一時的に蓄積して、前記ＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力する記憶デジタル放送信号出力ステップ、及び
前記記憶デジタル放送信号を記録媒体に記録する記録ステップ
を備えた記録再生プログラムを記録した記録媒体。
【請求項３１】
デジタル放送信号を受信して、前記デジタル放送信号及びそのデジタル放送信号に含まれたデジタル映像情報をデジタル放送信号受信部から出力するデジタル放送信号受信ステップ、
前記デジタル放送信号受信部からデジタル映像情報をフレーム単位に入力して、そのデジタル映像情報に含まれた動きベクトル情報を動きベクトル検出部から出力する動きベクトル出力ステップ、
複数のフレーム分の前記動きベクトル情報を動きベクトル情報記憶部に記憶する動きベクトル情報記憶ステップ、
前記動きベクトル情報記憶ステップで動きベクトル情報部に記憶している動きベクトル情報を記憶動きベクトル情報として入力して、入力した動きベクトル情報と前記動きベクトル検出部から今回入力した動きベクトル情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップ
を備えた記録再生プログラムを記録した記録媒体。
【請求項３２】
前記映像情報記憶部が、前記映像差分情報記憶部から同一映像位置情報を入力して、記憶している複数のフレーム分のデジタル映像情報のうち、入力した同一映像位置情報に基づき１つのフレームを選択して記憶デジタル映像情報として出力することを特徴とする請求項２５から３０のいずれかに記載の記録媒体。
【請求項３３】
前記動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力することを特徴とする請求項３１に記載の記録媒体。
【請求項３４】
前記デジタル放送信号受信ステップの前に、アナログ方式のテレビジョン放送信号を前記デジタル放送信号に変換するＡ／Ｄ変換ステップを設けたことを特徴とする請求項２５から３３のいずれかに記載の記録媒体。
【請求項３５】
前記デジタル放送信号がデジタル圧縮技術により符号化されていることを特徴とする請求項２５から３４のいずれかに記載の記録再生方法。
【請求項３６】
前記デジタル放送信号がＭＰＥＧ方式により符号化されていることを特徴とする請求項２５から３４のいずれかに記載の記録媒体。
【発明の詳細な説明】
【０００１】
【発明の属する技術分野】
本発明は、デジタル放送やアナログ放送の放送信号を受信して、受信した放送信号を記録媒体に記録再生する記録再生装置、記録再生方法、及び記録再生プログラムを記録した記録媒体に関する。
【０００２】
【従来の技術】
近年、情報圧縮技術やコンピュータ技術の進展に伴って、映像情報や音声情報を含んだ様々な情報をデジタル化して処理することが一般的である。このようなデジタル技術の発展により、公共放送や民間放送等の放送メディアの分野においても、ＭＰＥＧ（Ｍｏｖｉｎｇ  Ｐｉｃｔｕｒｅ  Ｅｘｐｅｒｔｓ  Ｇｒｏｕｐ）規格に代表される情報圧縮技術を利用したデジタル放送が実施されつつある。
また、ＶＴＲを含む記録再生装置では、放送メディアから番組を受信して記録媒体に記録再生するだけでなく、受信した番組のうちコマーシャルメッセージの部分（以下、”ＣＭ部分”ともいう）を除いた主番組の映像や音声だけを再生する機能を備えたものが開発、実用化されている。このような記録再生装置では、受信した番組のＣＭ部分を検出して、記録時に検出したＣＭ部分を自動的に除いて記録する、あるいは再生時に検出したＣＭ部分を飛び越して主番組だけを再生する機構が搭載されている。アナログ放送に対応した従来の記録再生装置には、例えば特開平８−２８９２４４号公報に開示されているように、ＮＴＳＣ方式やＰＡＬ方式等のテレビジョン信号での輝度、色分散、ＶＰＳ（Ｖｉｄｅｏ  Ｐｒｏｇｒａｍ  Ｓｙｓｔｅｍ）情報等のアナログ映像信号の特徴を用いることによってＣＭ部分の検出を行うものが知られている。また、特開平８ー３１７３４２号公報に開示された従来の記録再生装置では、音声信号の無音声部分を検出してＣＭ部分を検出する方法と、主番組及びＣＭ部分が一般的にそれぞれモノラル方式及びステレオ方式の音声信号で構成されていることを利用しそれらの音声信号の方式の差違を検出することによってＣＭ部分を検出する方法を提案している。
【０００３】
ここで、従来の記録再生装置及びその記録再生方法について、図８を参照して具体的に説明する。
図８は、従来の記録再生装置の構成を示すブロック図である。
図８において、従来の記録再生装置は、アナログ方式のテレビジョン放送信号２００を受信するチューナ３０、前記チューナ３０に接続され、チューナ３０からの映像信号２０１を処理する映像信号処理部３１、及び前記映像信号処理部３１に接続され、映像信号２０１の変化点を検出する映像変化検出部３２を備えている。さらに、従来の記録再生装置は、チューナ３０に接続され、チューナ３０からの音声信号２０２を処理する音声信号処理部３３、前記音声信号処理部３３に接続され、音声信号２０２の無音声部分を検出する無音声部分検出部３４、映像変化検出部３２と無音声部分検出部３４に接続され、テレビジョン放送信号２００に含まれたＣＭ部分を検出するコマーシャルメッセージ部分検出部３５、及び前記コマーシャルメッセージ部分検出部３５からのＣＭ位置情報２０７を記憶する記憶部３６を有する。また、従来の記録再生装置には、チューナ３０からののテレビジョン放送信号２００を記録媒体３９に記録再生する記録再生部３７、及び前記記録再生部３７を制御するための制御部３８が設けられている。
【０００４】
チューナ３０は、ＮＴＳＣ方式やＰＡＬ方式等の既知のアナログ方式のテレビジョン放送信号２００を受信して、記録再生部３７に出力する。さらに、チューナ３０は、受信したテレビジョン放送信号２００を映像信号２０１と音声信号２０２に分離して、映像信号処理部３１と音声信号処理部３３にそれぞれ出力する。
映像信号処理部３１は、入力した映像信号２０１の輝度レベルを抽出して、その抽出した輝度レベルを示す映像信号レベル２０４を映像変化検出部３２に出力する。
映像変化検出部３２は、輝度レベル変化検出回路により構成され、映像信号処理部３１からの連続した２つの映像信号レベル２０４を比較することによって輝度レベルが変化する時点を検出する。映像変化検出部３２は、検出した時点を映像信号２０１の変化点として、その変化点の時間情報である映像レベル変化情報２０６をコマーシャルメッセージ部分検出部３５に出力する。
【０００５】
音声信号処理部３３は、入力した音声信号２０２の音量（レベル）を示す音声信号レベル２０３を無音声部分検出部３４に出力する。
無音声部分検出部３４は、無音声部分検出回路により構成され、音声信号処理部３３からの音声信号レベル２０３に基づいて、音声信号２０２の無音声部分を検出する。無音声部分検出部３４は、検出した無音声部分の開始及び終了時点を示す音声レベル変化情報２０５をコマーシャルメッセージ部分検出部３５に出力する。
コマーシャルメッセージ部分検出部３５は、無音声部分検出部３４からの音声レベル変化情報２０５に基づいて、複数の無音声部分間の時間間隔を算出する。さらに、コマーシャルメッセージ部分検出部３５は、映像変化検出部３２からの映像レベル変化情報２０６に基づいて、映像信号２０１の複数の変化点の時間間隔を算出する。これらの算出した時間間隔を用いて、コマーシャルメッセージ部分検出部３５は、テレビジョン放送信号２００に含まれたＣＭ部分を検出して、そのＣＭ部分の開始及び終了時点を示す時間情報を取得する。また、コマーシャルメッセージ部分検出部３５には、映像信号２０１の記録媒体３９上での記録位置を示す記録再生制御情報２０８が、例えば映像信号２０１のフレーム単位に制御部３８を経て記録再生部３７から入力されている。これにより、コマーシャルメッセージ部分検出部３５は、取得した時間情報と記録再生制御情報２０８を用いて、検出したＣＭ部分の記録媒体３９上での記録位置を示すＣＭ位置情報２０７を生成し記憶部３６に出力する。
【０００６】
記録再生部３７は、図示しない磁気ヘッドと当該記録再生装置に装着された磁気テープからなる記録媒体３９を駆動するためのモータ（図示せず）を備えている。記録再生部３７は、磁気ヘッドを用いてチューナ３０からのテレビジョン放送信号２００を記録媒体３９に記録する。また、このとき、記録再生部３７は、上述したように、記録再生制御情報２０８を制御部３８を経てコマーシャルメッセージ部分検出部３５に出力する。記録再生部３７は、制御部３８からの記録再生制御情報２０８にしたがって、上記磁気ヘッドにより記録媒体３９からテレビジョン放送信号２００を再生して、モニターやスピーカを含む表示装置（図示せず）に出力する。これにより、上述のテレビジョン放送信号２００の番組が再生される。
制御部３８は、記憶部３６からのＣＭ位置情報２０７に基づき検出したＣＭ部分をスキップして（飛び越して）、番組の主番組だけを再生するように記録再生部３７を制御する。
【０００７】
以下、この従来の記録再生装置の動作について説明する。
アナログ方式のテレビジョン放送信号２００がチューナ３０に入力されると、チューナ３０は入力したテレビジョン放送信号２００を記録再生部３７に出力するとともに、そのテレビジョン放送信号２００を映像信号２０１と音声信号２０２に分離する。そして、チューナ３０は、映像信号２０１及び音声信号２０２を映像信号処理部３１及び音声信号処理部３３にそれぞれ出力する。
記録再生部３７は、入力したテレビジョン放送信号２００を記録媒体３９に記録するとともに、映像信号２０１のフレーム単位に記録再生制御情報２０８を生成し制御部３８を経てコマーシャルメッセージ部分検出部３５に出力する。
【０００８】
一方、映像信号処理部３１は、入力した映像信号２０１の輝度レベルに基づいて、映像信号レベル２０４を抽出し映像変化検出部３２に出力する。また、音声信号処理部３３は、入力した音声信号２０２の音量レベルに基づいて、音声信号レベル２０３を抽出し無音声部分検出部３４に出力する。
続いて、映像変化検出部３２は、連続して入力した２つの映像信号レベル２０４を用いて、映像信号２０１の輝度レベルが変化する時点（変化点）を検出する。そして、映像変化検出部３２は、検出した変化点を示す映像レベル変化情報２０６を生成してコマーシャルメッツセージ部分検出部３５に出力する。また、無音声部分検出部３４は、入力した音声信号レベル２０３に基づいて、無音声部分を検出する。そして、無音声部分検出部３４は、検出した無音声部分の開始及び終了時点を示す音声レベル変化情報２０５を生成してコマーシャルメッツセージ部分検出部３５に出力する。
【０００９】
次に、コマーシャルメッツセージ部分検出部３５は、入力した音声レベル変化情報２０５に基づき複数の無音声部分間の時間間隔を算出し、さらに入力した映像レベル変化情報２０６に基づき複数の変化点の時間間隔を算出する。そして、コマーシャルメッセージ部分検出部３５は、算出した時間間隔を用いて、テレビジョン放送信号２００内のＣＭ部分を検出して、そのＣＭ部分の開始及び終了時点を示す時間情報を取得する。その後、コマーシャルメッセージ部分検出部３５は、上述の時間情報と制御部３８からの記録再生制御情報２０８に基づいて、検出したＣＭ部分のＣＭ位置情報２０７を生成し記憶部３６に出力する。そして、記憶部３６は、入力したＣＭ位置情報２０７を保持する。以上の動作により、従来の記録再生装置での記録動作が終了する。
【００１０】
また、この従来の記録再生装置での再生動作では、ＣＭ位置情報２０７が再生開始とともに記憶部３６から制御部３８に読み出される。その後、制御部３８は、そのＣＭ位置情報２０７によって指定されるＣＭ部分のテレビジョン放送信号２００を除いて記録媒体３９からテレビジョン放送信号２００を読み出す。これにより、ＣＭ部分の映像信号２０１及び音声信号２０２はスキップされ、主番組の映像信号２０１及び音声信号２０２だけが再生される。
以上のように、従来の記録再生装置及びその記録再生方法では、受信したテレビジョン放送信号２００の記録時には、コマ−シャルメッツセ−ジ部分検出部３５が映像信号２０１の輝度レベルが変化する複数の変化点の時間間隔と音声信号２０２の複数の無音声部分間の時間間隔に基づいて、受信したテレビジョン放送信号２００に含まれるＣＭ部分を検出していた。さらに、この従来の記録再生装置及びその記録再生方法では、コマ−シャルメッツセ−ジ部分検出部３５が記録再生部３７から入力した記録再生制御情報２０８に基づいて、検出したＣＭ部分の記録媒体３９上でのＣＭ位置情報２０７を生成し記憶部３６に記憶していた。これにより、この従来の記録再生装置及びその記録再生方法では、制御部３８が記憶部３６からのＣＭ位置情報２０７に基づいて、検出したＣＭ部分をスキップして番組の主番組だけを再生していた。
【００１１】
【発明が解決しようとする課題】
上記のような従来の記録再生装置、及び記録再生方法では、既存のアナログ放送に対応したものであり、デジタル放送に対応したものではなかった。このため、従来の記録再生装置及びその記録再生方法では、既知のＤ／Ａ変換器などを接続することにより、デジタル放送のテレビジョン放送信号を受信して記録再生可能に構成したとしても、映像信号の各フレームが高画質であるなどのデジタル放送での優れた特徴を十分に生かすことができなかった。
さらに、従来の記録再生装置及びその記録再生方法では、アナログ映像信号での輝度等のレベル変化の時点を調べて、ＣＭ部分を検出するよう構成しただけのものであった。このため、従来の記録再生装置及びその記録再生方法では、記録した映像信号に重複する同一の映像が含まれる番組、つまり放送メディアが最近実施している番組に対応できないという問題点があった。具体的にいえば、放送メディアでは、主番組の再開時において視聴者の記憶を呼び戻すために、ＣＭ部分の前に放送した主番組の一部分を前記ＣＭ部分の後に続く主番組の冒頭から数秒〜数十秒間にわたって重複して番組を放送することがある。このような番組を受信したとき、従来の記録再生装置及びその記録再生方法では、ＣＭ部分の前後で重複した主番組の一部分を検出することができずに、検出したＣＭ部分だけを除いて番組の記録再生を行う。このため、従来の記録再生装置及びその記録再生方法では、同一の主番組の一部分が連続して記録再生されるという問題点を生じた。その結果、従来の記録再生装置及びその記録再生方法では、例えば番組のビデオ編集作業を行うとき、同一の主番組の一部分を検索し判別して除く必要があり、そのビデオ編集作業に時間と手間を要した。また、従来の記録再生装置及びその記録再生方法では、ステレオ放送等の番組を受信したとき、主番組とＣＭ部分を判別できずにＣＭ部分を確実に検出することができないという問題点も生じた。
【００１２】
この発明は、上記のような問題点を解決するためになされたものであり、受信したテレビジョン放送信号のうち同一の重複する映像信号をフレーム単位に検出することができ、記録したテレビジョン放送信号（番組）のビデオ編集作業を容易に行える記録再生装置、記録再生方法、及び記録再生プログラムを記録した記録媒体を提供することを目的とする。
また、この発明は、検出した同一の重複する映像信号に基づいて、番組のＣＭ部分を確実に検出することができる記録再生装置、記録再生方法、及び記録再生プログラムを記録した記録媒体を提供することを目的とする。
【００１３】
【課題を解決するための手段】
本発明の記録再生装置は、デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記デジタル放送信号受信部からのデジタル放送信号とともに前記映像差分情報記憶部からの同一映像位置情報を記録媒体に記録する記録再生部を備えている。
このように構成することにより、受信したテレビジョン放送信号のうち同一の重複する映像信号をフレーム単位に検出することができる。さらに、同一映像位置情報をインデックス情報として利用することができ、記録したテレビジョン放送信号（番組）のビデオ編集作業を容易に行える。
【００１４】
別の観点による発明の記録再生装置は、デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記映像差分情報記憶部からの複数の同一映像位置情報を記憶し、記憶している前記複数の同一映像位置情報に基づいて、重複映像区間を示す重複映像区間情報を出力する重複映像区間記憶部と、
前記デジタル放送信号受信部からのデジタル放送信号とともに前記重複映像区間記憶部からの重複映像区間情報を記録媒体に記録する第二記録再生部を備えている。
このように構成することにより、受信したテレビジョン放送信号のうち同一の重複する映像信号をフレーム単位に検出することができる。さらに、重複映像区間を容易に検出することができ、記録したテレビジョン放送信号（番組）のビデオ編集作業を容易に行える。
【００１５】
別の観点による発明の記録再生装置は、デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記映像差分情報記憶部からの複数の同一映像位置情報を記憶し、記憶している前記複数の同一映像位置情報に基づいて、重複映像区間を示す重複映像区間情報を出力する重複映像区間記憶部と、
前記重複映像区間記憶部からの重複映像区間情報に基づいて、ＣＭ区間を検出してそのＣＭ区間を示すＣＭ区間情報を出力するＣＭ区間検出部と、
前記デジタル放送信号受信部からのデジタル放送信号とともに前記ＣＭ区間検出部からのＣＭ区間情報を記録媒体に記録する第三記録再生部を備えている。
このように構成することにより、受信したテレビジョン放送信号のうち同一の重複する映像信号をフレーム単位に検出することができる。さらに、ＣＭ区間を確実に検出することができ、記録したテレビジョン放送信号（番組）のビデオ編集作業を容易に行える。
【００１６】
別の観点による発明の記録再生装置は、前記第三記録再生部が、前記デジタル放送信号を記録する記録媒体上のファイルまたは記録したデジタル放送信号の先頭位置のファイルに前記ＣＭ区間情報を記録する。
このように構成することにより、記録したテレビジョン放送信号のうちＣＭ部分を容易、かつ確実に検出することができ、記録したテレビジョン放送信号（番組）のビデオ編集作業を容易に行える。
【００１７】
別の観点による発明の記録再生装置は、前記デジタル放送信号受信部からのデジタル放送信号を一時的に蓄積するデジタル放送信号記憶部を前記デジタル放送信号受信部と前記第三記録再生部との間に設けて、
前記第三記録再生部が、入力したＣＭ区間情報によりＣＭ区間として指定されるデジタル放送信号の先頭位置に前記ＣＭ区間情報を記録する。
このように構成することにより、記録したテレビジョン放送信号のうちＣＭ部分を確実に検出することができ、記録したテレビジョン放送信号（番組）のビデオ編集作業を容易に行える。
【００１８】
別の観点による発明の記録再生装置は、デジタル放送信号を受信して、前記デジタル放送信号及びそのデジタル放送信号に含まれたデジタル映像情報を出力するデジタル放送信号受信部と、
前記デジタル放送信号受信部からの複数のフレーム分のデジタル映像情報を記憶して、記憶デジタル映像情報としてフレーム単位に出力する映像情報記憶部と、
前記デジタル放送信号受信部から入力したデジタル映像情報と前記映像情報記憶部から入力した記憶デジタル映像情報をフレーム単位に比較して、その比較結果に基づいて、同一映像位置情報を生成する映像差分情報検出部と、
前記映像差分情報検出部からの同一映像位置情報を記憶する映像差分情報記憶部と、
前記映像差分情報記憶部からの複数の同一映像位置情報を記憶し、記憶している前記複数の同一映像位置情報に基づいて、重複映像区間を示す重複映像区間情報を出力する重複映像区間記憶部と、
前記重複映像区間記憶部からの重複映像区間情報に基づいて、ＣＭ区間を検出してそのＣＭ区間を示すＣＭ区間情報を出力するＣＭ区間検出部と、
前記デジタル放送信号受信部からのデジタル放送信号を一時的に蓄積して、前記ＣＭ区間検出部からのＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力するデジタル放送信号記憶部と、
前記デジタル放送信号記憶部からの記憶デジタル放送信号を記録媒体に記録する第四記録再生部を備えている。
このように構成することにより、記録したテレビジョン放送信号のうちＣＭ部分を容易、かつ確実に検出することができ、検出したＣＭ部分とそのＣＭ部分の前後で重複している映像区間の一方のデジタル放送信号を自動的に除いて記録媒体に記録することができる。
【００１９】
別の観点による発明の記録再生装置は、デジタル放送信号を受信して、前記デジタル放送信号及びそのデジタル放送信号に含まれたデジタル映像情報を出力するデジタル放送信号受信部と、
前記デジタル放送信号受信部からデジタル映像情報をフレーム単位に入力して、そのデジタル映像情報に含まれた動きベクトル情報を抽出して出力する動きベクトル検出部と、
前記動きベクトル検出部からの複数のフレーム分の動きベクトル情報を記憶して、記憶動きベクトル情報としてフレーム単位に出力する動きベクトル情報記憶部と、
前記動きベクトル検出部から入力した動きベクトル情報と前記動きベクトル情報記憶部から入力した記憶動きベクトル情報を比較して、その比較結果に基づいて、同一映像位置情報をフレーム単位に生成する動きベクトル差分情報検出部と、
前記動きベクトル差分情報検出部からの同一映像位置情報を記憶する映像差分情報記憶部と、
前記デジタル放送信号受信部からのデジタル放送信号とともに前記映像差分情報記憶部からの同一映像位置情報を記録媒体に記録する記録再生部を備えている。
このように構成することにより、受信したテレビジョン放送信号のうち同一の重複する映像信号の検出処理を簡略化することができ、処理速度を向上できる。
【００２０】
別の観点による発明の記録再生装置は、前記映像情報記憶部が、前記映像差分情報記憶部から同一映像位置情報を入力して、記憶している複数のフレーム分のデジタル映像情報のうち、入力した同一映像位置情報に基づき１つのフレームを選択して記憶デジタル映像情報として出力する。
このように構成することにより、同一映像位置情報を生成する処理を軽減することができる。
【００２１】
別の観点による発明の記録再生装置は、前記動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力する。
このように構成することにより、同一映像位置情報を生成する処理を軽減することができる。
【００２２】
別の観点による発明の記録再生装置は、アナログ方式のテレビジョン放送信号を前記デジタル放送信号に変換するＡ／Ｄ変換部を備えている。
このように構成することにより、アナログ方式のテレビジョン放送信号に含まれる同一の重複する映像信号をフレーム単位に検出することができる。
【００２３】
本発明の記録再生方法は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップを備えている。
このように構成することにより、受信したテレビジョン放送信号のうち同一の重複する映像信号をフレーム単位に検出することができる。さらに、同一映像位置情報をインデックス情報として利用することができ、記録したテレビジョン放送信号（番組）のビデオ編集作業を容易に行える。
【００２４】
別の観点による発明の記録再生方法は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、及び
前記デジタル放送信号受信部からのデジタル放送信号とともに前記重複映像区間情報を記録媒体に記録する記録ステップを備えている。
このように構成することにより、受信したテレビジョン放送信号のうち同一の重複する映像信号をフレーム単位に検出することができる。さらに、重複映像区間を容易に検出することができ、記録したテレビジョン放送信号（番組）のビデオ編集作業を容易に行える。
【００２５】
別の観点による発明の記録再生方法は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、及び
前記デジタル放送信号受信部からのデジタル放送信号とともに前記ＣＭ区間情報を記録媒体に記録する記録ステップを備えている。
このように構成することにより、受信したテレビジョン放送信号のうち同一の重複する映像信号をフレーム単位に検出することができる。さらに、ＣＭ区間を確実に検出することができ、記録したテレビジョン放送信号（番組）のビデオ編集作業を容易に行える。
【００２６】
別の観点による発明の記録再生方法は、前記記録ステップにおいて、前記デジタル放送信号を記録する記録媒体上のファイルまたは記録したデジタル放送信号の先頭位置のファイルに前記ＣＭ区間情報を記録する。
このように構成することにより、記録したテレビジョン放送信号のうちＣＭ部分を容易、かつ確実に検出することができ、記録したテレビジョン放送信号（番組）のビデオ編集作業を容易に行える。
【００２７】
別の観点による発明の記録再生方法は、前記記録ステップの前に、前記デジタル放送信号受信部からのデジタル放送信号をデジタル放送信号記憶部に一時的に蓄積するデジタル放送信号蓄積ステップを設けて、
前記記録ステップにおいて、前記ＣＭ区間情報によりＣＭ区間として指定されるデジタル放送信号の先頭位置にそのＣＭ区間情報を記録する。
このように構成することにより、記録したテレビジョン放送信号のうちＣＭ部分を確実に検出することができ、記録したテレビジョン放送信号（番組）のビデオ編集作業を容易に行える。
【００２８】
別の観点による発明の記録再生方法は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、
前記デジタル放送信号受信部からのデジタル放送信号を一時的に蓄積して、前記ＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力する記憶デジタル放送信号出力ステップ、及び
前記記憶デジタル放送信号を記録媒体に記録する記録ステップを備えている。このように構成することにより、記録したテレビジョン放送信号のうちＣＭ部分を容易、かつ確実に検出することができ、検出したＣＭ部分とそのＣＭ部分の前後で重複している映像区間の一方のデジタル放送信号を自動的に除いて記録媒体に記録することができる。
【００２９】
別の観点による発明の記録再生方法は、デジタル放送信号を受信して、前記デジタル放送信号及びそのデジタル放送信号に含まれたデジタル映像情報をデジタル放送信号受信部から出力するデジタル放送信号受信ステップ、
前記デジタル放送信号受信部からデジタル映像情報をフレーム単位に入力して、そのデジタル映像情報に含まれた動きベクトル情報を動きベクトル検出部から出力する動きベクトル出力ステップ、
複数のフレーム分の前記動きベクトル情報を動きベクトル情報記憶部に記憶する動きベクトル情報記憶ステップ、
前記動きベクトル情報記憶ステップで動きベクトル情報部に記憶している動きベクトル情報を記憶動きベクトル情報として入力して、入力した動きベクトル情報と前記動きベクトル検出部から今回入力した動きベクトル情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップを備えている。
このように構成することにより、受信したテレビジョン放送信号のうち同一の重複する映像信号の検出処理を簡略化することができ、処理速度を向上できる。
【００３０】
別の観点による発明の記録再生方法は、前記映像情報記憶部が、前記映像差分情報記憶部から同一映像位置情報を入力して、記憶している複数のフレーム分のデジタル映像情報のうち、入力した同一映像位置情報に基づき１つのフレームを選択して記憶デジタル映像情報として出力する。
このように構成することにより、同一映像位置情報を生成する処理を軽減することができる。
【００３１】
別の観点による発明の記録再生方法は、前記動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力する。
このように構成することにより、同一映像位置情報を生成する処理を軽減することができる。
【００３２】
別の観点による発明の記録再生方法は、前記デジタル放送信号受信ステップの前に、アナログ方式のテレビジョン放送信号を前記デジタル放送信号に変換するＡ／Ｄ変換ステップを設けた。
このように構成することにより、アナログ方式のテレビジョン放送信号に含まれる同一の重複する映像信号をフレーム単位に検出することができる。
【００３３】
本発明の記録再生プログラムを記録した記録媒体は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップを備えている。
このように構成することにより、受信したテレビジョン放送信号のうち同一の重複する映像信号をフレーム単位に検出することができる。さらに、同一映像位置情報をインデックス情報として利用することができ、記録したテレビジョン放送信号（番組）のビデオ編集作業を容易に行える。
【００３４】
別の観点による発明の記録再生プログラムを記録した記録媒体は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、及び
前記デジタル放送信号受信部からのデジタル放送信号とともに前記重複映像区間情報を記録媒体に記録する記録ステップを備えている。
このように構成することにより、受信したテレビジョン放送信号のうち同一の重複する映像信号をフレーム単位に検出することができる。さらに、重複映像区間を容易に検出することができ、記録したテレビジョン放送信号（番組）のビデオ編集作業を容易に行える。
【００３５】
別の観点による発明の記録再生プログラムを記録した記録媒体は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、及び
前記デジタル放送信号受信部からのデジタル放送信号とともに前記ＣＭ区間情報を記録媒体に記録する記録ステップを備えている。
このように構成することにより、受信したテレビジョン放送信号のうち同一の重複する映像信号をフレーム単位に検出することができる。さらに、ＣＭ区間を確実に検出することができ、記録したテレビジョン放送信号（番組）のビデオ編集作業を容易に行える。
【００３６】
別の観点による発明の記録再生プログラムを記録した記録媒体は、前記記録ステップにおいて、前記デジタル放送信号を記録する記録媒体上のファイルまたは記録したデジタル放送信号の先頭位置のファイルに前記ＣＭ区間情報を記録する。
このように構成することにより、記録したテレビジョン放送信号のうちＣＭ部分を容易、かつ確実に検出することができ、記録したテレビジョン放送信号（番組）のビデオ編集作業を容易に行える。
【００３７】
別の観点による発明の記録再生プログラムを記録した記録媒体は、前記記録ステップの前に、前記デジタル放送信号受信部からのデジタル放送信号をデジタル放送信号記憶部に一時的に蓄積するデジタル放送信号蓄積ステップを設けて、
前記記録ステップにおいて、前記ＣＭ区間情報によりＣＭ区間として指定されるデジタル放送信号の先頭位置にそのＣＭ区間情報を記録する。
このように構成することにより、記録したテレビジョン放送信号のうちＣＭ部分を確実に検出することができ、記録したテレビジョン放送信号（番組）のビデオ編集作業を容易に行える。
【００３８】
別の観点による発明の記録再生プログラムを記録した記録媒体は、デジタル放送信号を受信して、前記デジタル放送信号及びそのデジタル放送信号に含まれたデジタル映像情報をデジタル放送信号受信部から出力するデジタル放送信号受信ステップ、
複数のフレーム分の前記デジタル映像情報を映像情報記憶部に記憶するデジタル映像情報記憶ステップ、
前記デジタル映像情報記憶ステップで映像情報記憶部に記憶しているデジタル映像情報を記憶デジタル映像情報として入力して、入力した記憶デジタル映像情報と前記デジタル放送信号受信部から今回入力したデジタル映像情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、
複数の前記同一映像位置情報に基づいて、重複映像区間を示す重複映像区間情報を出力する重複映像区間情報出力ステップ、
前記重複映像区間情報に基づいて、ＣＭ区間を検出してそのＣＭ区間を示すＣＭ区間情報を出力するＣＭ区間情報出力ステップ、
前記デジタル放送信号受信部からのデジタル放送信号を一時的に蓄積して、前記ＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力する記憶デジタル放送信号出力ステップ、及び
前記記憶デジタル放送信号を記録媒体に記録する記録ステップを備えている。このように構成することにより、記録したテレビジョン放送信号のうちＣＭ部分を容易、かつ確実に検出することができ、検出したＣＭ部分とそのＣＭ部分の前後で重複している映像区間の一方のデジタル放送信号を自動的に除いて記録媒体に記録することができる。
【００３９】
別の観点による発明の記録再生プログラムを記録した記録媒体は、デジタル放送信号を受信して、前記デジタル放送信号及びそのデジタル放送信号に含まれたデジタル映像情報をデジタル放送信号受信部から出力するデジタル放送信号受信ステップ、
前記デジタル放送信号受信部からデジタル映像情報をフレーム単位に入力して、そのデジタル映像情報に含まれた動きベクトル情報を動きベクトル検出部から出力する動きベクトル出力ステップ、
複数のフレーム分の前記動きベクトル情報を動きベクトル情報記憶部に記憶する動きベクトル情報記憶ステップ、
前記動きベクトル情報記憶ステップで動きベクトル情報部に記憶している動きベクトル情報を記憶動きベクトル情報として入力して、入力した動きベクトル情報と前記動きベクトル検出部から今回入力した動きベクトル情報とをフレーム単位に比較し、その比較結果に基づき同一映像位置情報を生成する同一映像位置情報生成ステップ、
前記同一映像位置情報生成ステップで生成した同一映像位置情報を映像差分情報記憶部に記憶する同一映像位置情報記憶ステップ、及び
前記デジタル放送信号受信部からのデジタル放送信号とともに前記映像差分情報記憶部からの同一映像位置情報を記録媒体に記録する記録ステップを備えている。
このように構成することにより、受信したテレビジョン放送信号のうち同一の重複する映像信号の検出処理を簡略化することができ、処理速度を向上できる。
【００４０】
別の観点による発明の記録再生プログラムを記録した記録媒体は、前記映像情報記憶部が、前記映像差分情報記憶部から同一映像位置情報を入力して、記憶している複数のフレーム分のデジタル映像情報のうち、入力した同一映像位置情報に基づき１つのフレームを選択して記憶デジタル映像情報として出力する。
このように構成することにより、同一映像位置情報を生成する処理を軽減することができる。
【００４１】
別の観点による発明の記録再生プログラムを記録した記録媒体は、前記動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力する。
このように構成することにより、同一映像位置情報を生成する処理を軽減することができる。
【００４２】
別の観点による発明の記録再生プログラムを記録した記録媒体は、前記デジタル放送信号受信ステップの前に、アナログ方式のテレビジョン放送信号を前記デジタル放送信号に変換するＡ／Ｄ変換ステップを設けた。
このように構成することにより、アナログ方式のテレビジョン放送信号に含まれる同一の重複する映像信号をフレーム単位に検出することができる。
【００４３】
【発明の実施の形態】
以下、本発明の記録再生装置、及び記録再生方法を示す好ましい実施例について、図面を参照しながら説明する。尚、下記の第１乃至第５の実施例の説明では、例えばＭＰＥＧトランスポートストリーム（Ｔｒａｎｓｐｏｒｔ  Ｓｔｒｅａｍ）によってビデオデータやオーディオデータのビットストリームが構成されているデジタル方式のテレビジョン放送信号（以下、”デジタル放送信号”という）を受信して、記録再生する場合について説明する。このＭＰＥＧトランスポートストリームは、ＭＰＥＧ２規格（ＩＳＯ／ＩＥＣ  １３８１８：１９９６）に基づいて、圧縮符号化されたデータのビットストリームである。また、上記のようなデジタル放送信号を用いたデジタル放送の具体例には、米国の次世代のデジタル放送であるＡＴＶ（Ａｄｖａｎｃｅｄ  Ｔｅｌｅｖｉｓｉｏｎ）やヨーロッパの次世代のデジタル放送であるＥＰ−ＤＶＢ（Ｅｕｒｏｐｅａｎ  Ｐｒｏｊｅｃｔ  ｆｏｒ  Ｄｉｇｉｔａｌ  Ｖｉｄｅｏ  Ｂｒｏａｄｃａｓｔｉｎｇ）を含んだ地上波デジタル放送、及び通信衛星（Ｃｏｍｍｕｎｉｃａｔｉｏｎｓ  Ｓａｔｅｌｌｉｔｅ）を利用したデジタルＣＳ放送がある。
【００４４】
《第１の実施例》
［記録再生装置の構成］
図１は、本発明の第１の実施例である記録再生装置の構成を示すブロック図である。
図１に示すように、本実施例の記録再生装置は、デジタル放送信号１００を受信するデジタル放送信号受信部１、受信したデジタル放送信号１００内のデジタル映像情報１０１を記憶して、記憶しているデジタル映像情報１０１を記憶デジタル映像情報１０２として出力する映像情報記憶部２、及びデジタル放送信号受信部１からのデジタル映像情報１０１と映像情報記憶部２からの記憶デジタル映像情報１０２に基づいて、同一映像位置情報１０３を生成する映像差分情報検出部３を備えている。さらに、本実施例の記録再生装置では、映像差分情報検出部３からの同一映像位置情報１０３を記憶する映像差分情報記憶部４、後述の記録再生制御情報１０６を生成するＣＰＵ５、及び前記ＣＰＵ５からの記録再生制御情報１０６に基づいて、記録媒体７に記録情報１０７の記録再生を行う記録再生部６が設けられている。尚、記録媒体７は、ＤＶＤ（Ｄｉｇｉｔａｌ  Ｖｅｒｓａｔｉｌｅ  Ｄｉｓｋ）−ＲＡＭやＤＶＤ−Ｒ（Ｒｅｃｏｒｄａｂｌｅ）等の光ディスクメディア、ＭＯ（Ｍａｇｎｅｔｏ  Ｏｐｔｉｃａｌ）ディスク、またはハードディスク装置により構成され、当該記録再生装置に内蔵、あるいは脱着可能なものである。
【００４５】
デジタル放送信号受信部１は、デジタル放送チューナにより構成され、デジタル放送信号１００を受信する。デジタル放送信号受信部１は、受信したデジタル放送信号１００を記録再生部６に出力するとともに、そのデジタル放送信号１００に含まれたデジタル映像情報１０１を映像差分情報検出部３に出力する。詳細にいえば、デジタル放送信号受信部１は、上述のＭＰＥＧ２規格に規定されたエレメンタリービデオストリーム（Ｅｌｅｍｅｎｔａｒｙ  Ｖｉｄｅｏ  Ｓｔｒｅａｍ）をデジタル映像情報１０１として分離しフレーム単位に映像差分情報検出部３に出力する。
映像情報記憶部２は、例えば半導体メモリーやハードディスク装置を含むデータ記録装置により構成され、映像差分情報検出部３からの複数のフレーム分のデジタル映像情報１０１を記憶する。この映像情報記憶部２は、例えば最大で５分間のフレーム数に相当する９０００フレーム分のデジタル映像情報１０１を記憶することができるよう構成されている。映像情報記憶部２は、１フレーム分のデジタル映像情報１０１が入力された場合、記憶しているデジタル映像情報１０１を記憶デジタル映像情報１０２として映像差分情報検出部３にフレーム単位に順次出力する。尚、リングバッファ方式、すなわち最終アドレスの次のアドレスを先頭アドレスとして、データを管理、記憶する方式を用いることにより、例えばデジタル映像情報１０１のビットレートが１０Ｍｂｐｓである場合でも、映像情報記憶部２は３〜４Ｇビットの容量で上述の９０００フレーム分のデジタル映像情報１０１を記憶することが可能となる。
【００４６】
映像差分情報検出部３は、例えば半導体比較器やＤＳＰ（Ｄｉｇｉｔａｌ  Ｓｉｇｎａｌ  Ｐｒｏｃｅｓｓｏｒ）により構成され、デジタル放送信号受信部１からデジタル映像情報１０１を入力し、映像情報記憶部２から記憶デジタル映像情報１０２をフレーム単位に順次入力する。映像差分情報検出部３は、今回入力したデジタル映像情報１０１と順次入力した各記憶デジタル映像情報１０２とのビット比較を行い、デジタル映像情報１０１が記憶デジタル映像情報１０２と同一の映像（フレーム）かどうかについて判断する。詳細にいえば、映像差分情報検出部３は、デジタル映像情報１０１と各記憶デジタル映像情報１０２とのビットの差分の和を算出する。算出した差分の和が０である場合、映像差分情報検出部３は、今回入力したデジタル映像情報１０１及び記憶デジタル映像情報１０２が同一のフレームであると判断する。さらに、差分の和がしきい値Ｎ（Ｎは、整数）以下である場合もまた、量子化誤差やデジタルのノイズを考慮して、映像差分情報検出部３は同一のフレームであると判断する。映像差分情報検出部３は、同一のフレームであると判断したデジタル映像情報１０１及び記憶デジタル映像情報１０２のアドレス情報を用いて、同一映像位置情報１０３を生成し映像差分情報記憶部４に出力する。一方、全ての記憶デジタル映像情報１０２とのビット比較に結果において、算出した差分の和がしきい値Ｎを超えた場合、映像差分情報検出部３は、今回入力したデジタル映像情報１０１と同一のフレームが存在しないと判断して、デジタル映像情報１０１のアドレス情報を用いて、同一映像位置情報１０３を生成し映像差分情報記憶部４に出力する。尚、同一映像位置情報１０３は、例えば同一のフレームであると判断されたデジタル映像情報１０１及び記憶デジタル映像情報１０２の各フレームに一意的に付与されているタイムコード値により構成される。尚、具体的なしきい値Ｎは、例えば１フレーム全体に対して０．１％となる値である。
【００４７】
映像差分情報記憶部４は、例えば半導体メモリーやハードディスク装置を含むデータ記録装置により構成され、映像差分情報検出部３からの同一映像位置情報１０３を入力して記憶する。さらに、映像差分情報記憶部４は、上述のタイムコード値からなる転送指示情報１０４をＣＰＵ５からフレーム単位に入力する。映像差分情報記憶部４は、記憶している全ての同一映像位置情報１０３のうち、入力した転送指示情報１０４と同一のタイムコード値をもつ同一映像位置情報１０３を検索して、該当する同一映像位置情報１０３をＣＰＵ５に出力する。
ＣＰＵ５は、コンピュータの汎用ＣＰＵや組み込みマイコンを用いて構成され、記録再生部６を制御するための記録再生制御情報１０６をフレーム単位に生成して記録再生部６に出力する。
【００４８】
詳細にいえば、本実施例の記録再生装置が記録動作を行うとき、ＣＰＵ５は記録再生部６から映像位置情報１０５をフレーム単位に入力する。この映像位置情報１０５には、現時点で記録媒体７に記録中あるいは記録を終了したデジタル映像情報１０１のフレームのタイムコード値が含まれている。それゆえ、ＣＰＵ５は、入力した映像位置情報１０５に基づいて、次に記録するフレームのタイムコード値を取得し、その取得したタイムコード値を転送指示情報１０４として映像差分情報記憶部４に出力する。ＣＰＵ５は、映像差分情報記憶部４から同一映像位置情報１０３を入力して、その同一映像位置情報１０３を次に記録されるフレームとともに記録媒体７に記録するよう指示する記録再生制御情報１０６を生成して記録再生部６に出力する。
また、本実施例の記録再生装置が再生動作を行うとき、ＣＰＵ５は記録再生部６から映像位置情報１０５をフレーム単位に入力する。この映像位置情報１０５には、現時点で記録媒体７に再生中あるいは再生を終了したデジタル映像情報１０１のフレームのタイムコード値が含まれている。それゆえ、ＣＰＵ５は、入力した映像位置情報１０５に基づいて、次に再生すべきフレームのタイムコード値を取得して、そのタイムコード値を含んだ記録再生制御情報１０６を生成し記録再生部６に出力する。さらに、ＣＰＵ５は、入力した映像位置情報１０５に同一のフレームのタイムコード値（同一映像位置情報１０３）が含まれているとき、例えば再生中あるいは再生を終了したフレームと同一のフレームのタイムコード値を少なくとも表示の制御をするよう指示する記録再生制御情報１０６を生成して記録再生部６に出力する。
【００４９】
記録再生部６は、例えばＤＶＤ−ＲＡＭレコーダやＤＶＤ−Ｒドライブあるいは磁気光ディスク装置により構成され、モニターやスピーカを含む表示装置（図示せず）に接続されている。記録再生部６は、ＣＰＵ５からの記録再生制御情報１０６に基づいて、デジタル放送信号受信部１からのデジタル放送信号１００を含んだ記録情報１０７を記録媒体７に記録再生する。さらに、記録再生部６は、上述したように、タイムコード値を含んだ映像位置情報１０５をフレーム単位にＣＰＵ５に出力する。また、この映像位置情報１０５には、現時点での動作を示すモード情報が含まれている。
尚、上述の説明では、生成した同一映像位置情報１０３を重複したフレームとともに記録媒体７に記録する構成について説明したが、記録動作の終了時に映像差分情報記憶部４に記憶している全ての同一映像位置情報１０３を記録媒体７内の所定の記録領域の１つのファイルにまとめて記録するよう構成してもよい。特に、再生動作時に最初に読み出される記録媒体７上のファイルまたは記録したデジタル放送信号１００の先頭位置のファイルに記録することが好ましい。
このように構成することにより、ＣＰＵ５はフレーム単位に転送指示情報１０４を出力して処理する処理動作を省略することができ、ＣＰＵ５での処理負荷を軽減できる。また、再生動作時では、ＣＰＵ５が同一映像位置情報１０３のファイルを読み出すことにより、同一の重複するフレームを予め確認することができ、重複するフレームの一方のフレームをスキップして再生することも容易に行うことが可能となる。
【００５０】
［記録再生装置の動作］
以下、本実施例の記録再生装置の動作について、図１及び図２を参照して説明する。尚、以下の説明では、現時点で記録または再生を終了したフレームのタイムコード値を含んだ映像位置情報１０５が記録再生部６からＣＰＵ５に出力される場合について説明する。また、１秒間のフレーム数が３０フレームである場合について説明する。
まず、本実施例の記録再生装置での記録動作について説明する。
図２は、図１に示した記録再生装置に用いられる情報の具体例を示す説明図である。
図１及び図２において、デジタル放送信号受信部１がデジタル放送信号１００を入力すると、デジタル放送信号受信部１は受信したデジタル放送信号１００を記録再生部６に出力する。同時に、デジタル放送信号受信部１は、そのデジタル放送信号１００からデジタル映像情報１０１を分離して、フレーム単位に映像差分情報検出部３に出力する。
【００５１】
続いて、映像差分情報検出部３は入力したデジタル映像情報１０１を映像情報記憶部２に出力するとともに、入力したデジタル映像情報１０１を保持して映像情報記憶部２からの記憶デジタル映像情報１０２とのビット比較をフレーム単位で行い、各ビットの差分の和を算出する。映像差分情報検出部３は、算出した差分の和が０あるいはしきい値Ｎ以下である場合、デジタル映像情報１０１と記憶デジタル映像情報１０２が同一のフレームであると判断する。そして、同一のフレームであると判断した場合、映像差分情報検出部３はそれらのデジタル映像情報１０１及び記憶デジタル映像情報１０２にそれぞれ付与されているタイムコード値、例えば（０１：０３：１５：００）及び（０１：０２：１５：００）を抽出し、同一映像位置情報１０３として（０１：０２：１５：００、０１：０３：１５：００）を映像差分情報記憶部４に出力する。
一方、全ての記憶デジタル映像情報とのビット比較に結果において、算出した差分の和がしきい値Ｎを超えた場合、映像差分情報検出部３は、今回入力したデジタル映像情報１０１と同一のフレームが存在しないと判断する。その後、映像差分情報検出部３は、デジタル映像情報１０１のアドレス情報を用いて、同一映像位置情報１０３として、例えば（未定義、０１：０３：１５：０１）を生成し映像差分情報記憶部４に出力する。尚、この未定義の箇所には、特定の数値、例えば”０”が挿入されている。また、上記タイムコード値は、上述のエレメンタリービデオストリームでの各フレームの再生すべき時間とその時間でのフレーム単位での順番を示すデジタル映像情報１０１のアドレス情報である。具体的には、例えばタイムコード値（０１：０２：１５：０２）は、エレメンタリービデオストリームの先頭のフレームから１時間２分１５秒後で３番目に再生されるフレームであることを示している。
【００５２】
また、映像情報記憶部２では、映像差分情報検出部３から１フレーム分のデジタル映像情報１０１を入力すると、その時点で記憶している全てのデジタル映像情報１０１を１フレームずつ記憶デジタル映像情報１０２として映像差分情報検出部３に順次出力する。具体的にいえば、映像情報記憶部２は、先頭ポインタで示されるアドレスのデジタル映像情報１０１から最終ポインタで示されるアドレスのデジタル映像情報１０１まで記憶デジタル映像情報１０２として映像差分情報検出部３に順次出力する。その後、映像情報記憶部２は、今回入力したデジタル映像情報１０１を最終ポインタのアドレスで指定される記憶領域に格納する。また、映像情報記憶部２内の記憶領域が上述の９０００フレーム分のデジタル映像情報１０１を保持している場合、一番最初に記憶したデジタル映像情報１０１に代えて今回入力したデジタル映像情報１０１を記憶する。
【００５３】
続いて、映像差分情報記憶部４は、映像差分情報検出部３から入力した同一映像位置情報１０３を記憶する。その後、映像差分情報記憶部４は、ＣＰＵ５から転送指示情報１０４を入力したとき、記憶している全ての同一映像位置情報１０３を検索して、その転送指示情報１０４と同一のタイムコード値をもつ同一映像位置情報１０３が存在すれば、その同一映像位置情報１０３をＣＰＵ５に出力する。具体的にいえば、映像差分情報記憶部４は、ＣＰＵ５から転送指示情報１０４として（０１：０３：１５：００）を入力したとき、記憶している全ての同一映像位置１０３を検索して、入力した転送指示情報１０４と同一のタイムコード値を有する同一映像位置情報１０３（０１：０２：１５：００、０１：０３：１５：００）をＣＰＵ５に出力する。
【００５４】
一方、記録再生部６では、ＣＰＵ５からの記録再生制御情報１０６に基づいて、デジタル放送信号受信部１からのデジタル放送信号１００を記録媒体７に記録する。このとき、記録再生部６は、現時点で記録を終了したデジタル映像情報１０１のフレームのタイムコード値、前記フレームと同一のフレームのタイムコード値、及びモード情報からなる映像位置情報１０５、例えば  （０１：０３：１４：２９、未定義、記録完）をＣＰＵ５に出力する。
次に、ＣＰＵ５では、入力した映像位置情報１０５から次に記録するフレームのタイムコード値、例えば（０１：０３：１５：００）を取得し転送指示情報１０４として映像差分情報記憶部４に出力する。そして、映像差分情報記憶部４が、上述したように、同一映像位置情報１０３をＣＰＵ５に出力した後、ＣＰＵ５は入力した同一映像位置情報１０３を用いて、次に記録するフレームと同一のフレームのタイムコード値、次に記録するフレームのタイムコード値、及びモード情報からなる記録再生制御情報１０６、例えば（０１：０２：１５：００、０１：０３：１５：００、記録）を記録再生部６に出力する。
続いて、記録再生部６では、ＣＰＵ５からの記録再生制御情報１０６に基づいて、デジタル放送信号１００のデータ、記録するフレームのタイムコード値、及び記録するフレームと同一のフレームのタイムコード値を含んだ記録情報１０７、例えば（デジタル映像情報、０１：０２：１５：００、０１：０３：１５：００）を記録媒体７に記録する。
【００５５】
次に、本実施例の記録再生装置での再生動作について説明する。
記録再生部６は、記録媒体７を再生して、デジタル放送信号１００のデータ、再生したフレームのタイムコード値、及び再生したフレームと同一のフレームのタイムコード値を含んだ記録情報１０７、例えば（デジタル映像情報、０１：０２：１５：０１、未定義）を取得する。そして、記録再生部６は、その記録情報１０７に含まれたデジタル放送信号１００のデータを外部の表示装置等に出力する。同時に、記録再生部６は、現時点で再生を終了したフレームと同一のフレームのタイムコード値、現時点で再生を終了したフレームのタイムコード値、及びモード情報からなる映像位置情報１０５、例えば  （未定義、０１：０２：１５：０１、再生完）をＣＰＵ５に出力する。
次に、ＣＰＵ５では、入力した映像位置情報１０５から次に再生すべきフレームのタイムコード値、例えば（０１：０２：１５：０２）を取得して、次に再生すべきフレームと同一のフレームのタイムコード値、次に再生すべきフレームのタイムコード値、及びモード情報からなる記録再生制御情報１０６、例えば（未定義、０１：０２：１５：０２、再生）を記録再生部６に出力する。
続いて、記録再生部６では、ＣＰＵ５からの記録再生制御情報１０６に基づいて、その次に再生すべきフレームのタイムコード値をもつ記録情報１０７を再生する。
【００５６】
以上のように、本実施例の記録再生装置、及び記録再生方法では、映像差分情報検出部３がデジタル放送信号受信部１からのデジタル映像情報１０１と、そのデジタル映像情報１０１より前に受信され、映像情報記憶部２に記憶されている（記憶）デジタル映像情報１０１（１０２）とを比較する。映像差分情報検出部３は、上記の比較結果に基づいて、同一の重複したフレームが存在するかどうかについて検出、判別する。さらに、映像差分情報検出部３は、それらのフレームのアドレス情報から同一映像位置情報１０３を生成して、映像差分情報記憶部４に保持する。また、記録再生部６は、デジタル放送信号受信部１からのデジタル放送信号１００とともに映像差分情報記憶部４からの同一映像位置情報１０３を記録媒体７に記録している。これにより、本実施例の記録再生装置、及び記録再生方法では、例えばビデオ編集作業を行うとき、同一映像位置情報１０３をインデックス情報として利用することができ、そのビデオ編集作業を容易に行うことができる。
尚、上述の説明では、デジタル映像情報１０１のアドレス情報として、フレーム単位に付与されているタイムコード値を利用する場合について説明したが、タイムコード値の代わりに、受信したデジタル放送信号１００での先頭からのオフセットアドレス情報（バイト値）または記録媒体７の絶対アドレス情報等を用いる構成でもよい。
【００５７】
《第２の実施例》
［記録再生装置の構成］
図３は、本発明の第２の実施例である記録再生装置の構成を示すブロック図である。この実施例では、記録再生装置の構成において、複数の同一映像位置情報に基づいて、重複映像区間を示す重複映像区間情報を生成し、受信したデジタル放送信号とともに記録媒体に記録するよう構成した。それ以外の各部は、第１の実施例のものと同様であるのでそれらの重複した説明は省略する。
図３に示すように、本実施例の記録再生装置では、映像情報記憶部２０は映像差分情報検出部３からデジタル映像情報１０１と映像差分情報記憶部４から同一映像位置情報１０３を入力するよう構成されている。さらに、本実施例の記録再生装置では、重複映像区間記憶部８とデジタル放送信号記憶部９がＣＰＵ２１と第二記録情報１１３を記録媒体７に記録再生する第二記録再生部２２との間に設けられている。
映像情報記憶部２０は、例えば半導体メモリーやハードディスク装置を含むデータ記録装置により構成され、映像差分情報検出部３からの複数のフレーム分のデジタル映像情報１０１を記憶する。また、映像情報記憶部２０は、映像差分情報記憶部４から入力した同一映像位置情報１０３に基づいて、記憶しているデジタル映像情報１０１のうち、まず適切な１つのフレームを選択して記憶デジタル映像情報１０２として映像差分情報検出部３に出力することが可能である。これにより、映像差分情報検出部３での比較処理動作を軽減することができる（詳細は後述）。尚、図１に示した映像情報記憶部４に代えて、本実施例の映像情報記憶部２０を用いることにより、第１の実施例の記録再生装置においても上述の比較処理動作を軽減できる効果を得ることは可能である。
【００５８】
ＣＰＵ２１は、第１の実施例のものと同様に、コンピュータの汎用ＣＰＵや組み込みマイコンを用いて構成され、第二記録再生部２２を制御するための記録再生制御情報１０６をフレーム単位に生成して第二記録再生部２２に出力する。また、ＣＰＵ２１が転送指示情報１０４を映像差分情報記憶部４に出力することにより、次に記録するフレームの同一映像位置情報１０３が映像差分情報記憶部４から映像情報記憶部２０にフレーム単位に出力される。ＣＰＵ２１は、入力した同一映像位置情報１０３を用いて記録再生制御情報１０６を生成するだけでなく、その同一映像位置情報１０３を重複映像区間記憶部８に出力する。さらに、ＣＰＵ２１は、２つのタイムコード値をもつ同一映像位置情報１０３、すなわち同一の重複したフレームが存在することを検出したとき、デジタル放送信号記憶部９にデジタル放送信号１００を蓄積して第二記録再生部２２への出力を停止する蓄積指示情報１１２を出力する。また、第二記録再生部２２に対してもその記録動作を停止するよう指示する記録再生制御情報１０６を生成して出力する。
【００５９】
重複映像区間記憶部８は、例えば半導体メモリーやハードディスク装置を含むデータ記録装置により構成され、ＣＰＵ２１から同一映像位置情報１０３を入力して、重複映像区間情報１１１として第二記録再生部２２に出力する。詳細にいえば、重複映像区間記憶部８は、重複したフレームが存在することを示す同一映像位置情報１０３を入力したとき、重複したフレームが存在しないことを示す同一映像位置情報１０３を入力するまでの全ての同一映像位置情報１０３を保持する。重複映像区間記憶部８は、保持していた同一映像位置情報１０３をまとめて重複映像区間情報１１１として出力する。これにより、複数の重複したフレームからなる重複映像区間での開始及び終了フレームのアドレス情報が第二記録再生部２２に出力される。
【００６０】
デジタル放送信号記憶部９は、バッファメモリを含んだデータ記録装置により構成され、デジタル放送信号受信部１からのデジタル放送信号１００を一時的に記憶する。さらに、デジタル放送信号記憶部９は、ＣＰＵ２１からの蓄積指示情報１１２に基づいて、蓄積しているデジタル放送信号１００を第二記録再生部２２に出力する。これにより、後段の第二記録再生部２２は、入力した重複映像区間情報１１１により重複した映像区間として指定されるデジタル放送信号１００の先頭位置に当該重複映像区間情報１１１を容易に記録することができる。
第二記録再生部２２は、例えばＤＶＤ−ＲＡＭレコーダやＤＶＤ−Ｒドライブあるいは磁気光ディスク装置により構成され、モニターやスピーカを含む表示装置（図示せず）に接続されている。第二記録再生部２２は、ＣＰＵ２１からの記録再生制御情報１０６と重複映像区間記憶部８からの重複映像区間情報１１１に基づいて、デジタル放送信号記憶部９からのデジタル放送信号１００を含んだ第二記録情報１１３を記録媒体７に記録する。第二記録再生部２２は、ＣＰＵ２１からの記録再生制御情報１０６に基づいて、第二記録情報１１３を記録媒体７から再生する。
【００６１】
［記録再生装置の動作］
以下、本実施例の記録再生装置の動作について、図３を用いて説明する。尚、以下の説明では、第１の実施例と異なる動作について主に説明する。
まず、本実施例の記録再生装置での記録動作について説明する。
映像情報記憶部２０には、例えばタイムコード値（０１：０３：１５：０１）をもつ１フレーム分のデジタル映像情報１０１が映像差分情報検出部３から入力される。同時に、映像差分情報記憶部４からは１フレーム前のタイムコード値を有する同一映像位置情報１０３が映像情報記憶部２０に入力される。具体的にいえば、映像情報記憶部２０は、同一映像位置情報１０３として、重複したフレームが存在することを示す（０１：０２：１５：００、０１：０３：１５：００）、または重複したフレームが存在しないことを示す（未定義、０１：０３：１５：００）を入力する。
【００６２】
映像情報記憶部２０が同一映像位置情報１０３（０１：０２：１５：００、０１：０３：１５：００）を入力した場合、映像情報記憶部２０は映像差分情報検出部３から今回入力したフレームと同一となる可能性が大きいフレーム、すなわちタイムコード値（０１：０２：１５：０１）をもつデジタル映像情報１０１を最初に記憶デジタル映像情報１０２として映像差分情報検出部３に出力する。
次に、映像差分情報検出部３は、タイムコード値（０１：０３：１５：０１）をもつデジタル映像情報１０１とタイムコード値（０１：０２：１５：０１）をもつ記憶デジタル映像情報１０２との上述のビット比較を行い、同一のフレームかどうかについて判断する。
続いて、映像差分情報検出部３が同一のフレームであると判断した場合、映像差分情報検出部３は、第１の実施例と同様に、上記２つのタイムコード値を組み合わせて、同一映像位置情報１０３（０１：０２：１５：０１、０１：０３：１５：０１）を生成し映像差分情報記憶部４に出力する。
【００６３】
一方、映像差分情報検出部３が同一のフレームでないと判断した場合、映像差分情報検出部３は映像情報記憶部２０から残り全てのデジタル映像情報１０１を記憶デジタル映像情報１０２としてフレーム単位に順次入力する。そして、映像差分情報検出部３は、第１の実施例と同様に、同一のフレームが存在するかどうかについて判断して、同一映像位置情報１０３を生成する。
また、映像情報記憶部２０が同一映像位置情報１０３（未定義、０１：０３：１５：００）を入力した場合、映像情報記憶部２０は記憶している全てのデジタル映像情報１０１を記憶デジタル映像情報１０２としてフレーム単位に映像差分情報検出部３に順次出力する。その後、映像差分情報検出部３では、第１の実施例と同様に、今回入力したデジタル映像情報１０１と同一のフレームが存在するかどうかについて判断して、同一映像位置情報１０３を生成する。
【００６４】
以上のように、本実施例の記録再生装置では、映像情報記憶部２０は重複したフレームが存在することを示す同一映像位置情報１０３を入力した場合、映像情報記憶部２０は映像差分情報検出部３から今回入力したフレームと同一となる可能性が大きい１つのフレームを最初に選択して、記憶デジタル映像情報１０２として映像差分情報検出部３に出力している。そして、映像差分情報検出部３での比較処理の結果、最初に入力した記憶デジタル映像情報１０２が同一のフレームであると判断された場合、映像差分情報検出部３は映像情報記憶部２０に記憶されている残りのデジタル映像情報１０１との比較処理を行わずに、同一映像位置情報１０３を生成する。従って、映像差分情報検出部３での比較処理動作を軽減することができる。
【００６５】
一方、ＣＰＵ２１では、第二記録再生部２２から映像位置情報１０５、例えば（０１：０３：１４：２９、未定義、記録完）を入力して、次に記録するフレームのタイムコード値（０１：０３：１５：００）を取得し転送指示情報１０４として映像差分情報記憶部４に出力する。その後、ＣＰＵ２１は、次に記録するフレームの同一映像位置情報１０３（０１：０２：１５：００、０１：０３：１５：００）を映像差分情報記憶部４から入力する。
その後、ＣＰＵ２１は、入力した同一映像位置情報１０３に基づいて、下記の（１）または（２）に示す処理を行う。
【００６６】
（１）  重複したフレームが存在することを示す同一映像位置情報１０３を入力した場合、ＣＰＵ２１はデジタル放送信号１００を蓄積するよう指示する蓄積指示情報１１２をデジタル放送信号記憶部９に出力する。同時に、ＣＰＵ２１は、記録動作を中断（ポーズ）を指示する記録再生制御情報１０６、例えば（０１：０２：１５：００、０１：０３：１５：００、記録ポーズ）を第二記録再生部２２に出力して、次のフレームのタイムコード値（０１：０３：１５：００、未定義、未記録）をもつ映像位置情報１０５を第二記録再生部２２から出力させる。結果として、第二記録再生部２２は、デジタル放送信号１００の次のフレームの入力を待ち状態となる。さらに、ＣＰＵ２１は入力した同一映像位置情報１０３を重複映像区間記憶部８に出力する。
ＣＰＵ２１は、上記（１）に示す動作を重複したフレームが存在しないことを示す同一映像位置情報１０３を入力するまで繰り返して行う。そして、ＣＰＵ２１は、重複したフレームが存在しないことを示す同一映像位置情報１０３を入力した時点で、デジタル放送信号記憶部９に蓄積してきたデジタル放送信号１００を順次出力するよう指示する。さらに、第二記録再生部２２に対しては記録動作のポーズを解除して、デジタル放送信号記憶部９からのデジタル放送信号１００を含んだ第二記録情報１１３の記録動作を、現時点での映像位置情報１０５に含まれるタイムコード値まで順次再開させる記録再生制御情報１０６を出力する。（２）  重複したフレームが存在しないことを示す同一映像位置情報１０３を入力した場合、ＣＰＵ２１は、その同一映像位置情報１０３を重複映像区間記憶部８に出力するとともに、第１の実施例のものと同様に、その同一映像位置情報１０３と第二記録再生部２２からの映像位置情報１０５に基づいて、記録再生制御情報１０６を生成して第二記録再生部２２に出力する。
【００６７】
次に、重複映像区間記憶部８では、重複したフレームが存在しないことを示す同一映像位置情報１０３をＣＰＵ２１から入力するまで、重複したフレームが存在することを示す同一映像位置情報１０３を記憶する。そして、重複映像区間記憶部８は、重複したフレームが存在しないことを示す同一映像位置情報１０３を入力したとき、記憶している同一映像位置情報１０３をまとめて重複映像区間情報１１１として第二記録再生部２２に出力する。具体的にいえば、重複映像区間記憶部８がＣＰＵ２１から同一映像位置情報１０３（０１：０２：１５：００、０１：０３：１５：００）〜（０１：０２：４５：００、０１：０３：４５：００）を連続して３０秒間入力した場合、重複映像区間記憶部８はそれらの同一映像位置情報１０３をまとめて、例えば（０１：０２：１５：００−０１：０２：４５：００、０１：０３：１５：００−０１：０３：４５：００）という重複映像区間情報１１１を第二記録再生部２２に出力する。
【００６８】
一方、デジタル放送信号記憶部９では、デジタル放送信号１００をデジタル放送信号受信部１から入力するとともに、上述の蓄積指示情報１１２をＣＰＵ２１から入力した場合、そのデジタル放送信号１００を蓄積していく。また、デジタル放送信号記憶部９は、ＣＰＵ２１から書き込みを指示する蓄積指示情報１１２を入力した場合、蓄積してきたデジタル放送信号１００を第二記録再生部２２に順次出力する。
続いて、第二記録再生部２２では、ＣＰＵ２１からの記録再生制御情報１０６に基づいて、デジタル放送信号記憶部９からのデジタル放送信号１００を含んだ第二記録情報１１３を記録媒体７に記録する。また、第二記録再生部２２は、上記のように第二記録情報１１３の記録動作を再開したとき、入力した重複映像区間情報１１１を第二記録情報１１３に含めて、記録媒体７に記録する。このとき、第二記録再生部２２は、重複映像区間情報１１１を再生動作時に最初に読み出される記録媒体７上のファイルまたは記録したデジタル放送信号１００の先頭位置のファイルに記録することが好ましい。このように構成することにより、ＣＰＵ２１は、第１の実施例のものと同様に、フレーム単位に転送指示情報１０４を出力して処理する処理動作を省略することができ、ＣＰＵ２１での処理負荷を軽減できる。また、再生動作時では、ＣＰＵ２１が重複映像区間情報１１１のファイルを読み出すことにより、重複映像区間を予め確認することができ、その重複映像区間の一方の重複映像をスキップして再生することも容易に行うことが可能となる。
【００６９】
次に、本実施例の記録再生装置での再生動作について説明する。
第二記録再生部２２は、記録媒体７を再生して、デジタル放送信号１００のデータ、再生したフレームのタイムコード値、及び再生したフレームと同一のフレームのタイムコード値を含んだ第二記録情報１１３、例えば（デジタル映像情報、０１：０２：１５：０１、未定義）を取得する。そして、第二記録再生部２２は、その第二記録情報１１３に含まれたデジタル放送信号１００のデータを外部の表示装置等に出力する。同時に、第二記録再生部２２は、現時点で再生を終了したフレームと同一のフレームのタイムコード値、現時点で再生を終了したフレームのタイムコード値、及びモード情報からなる映像位置情報１０５、例えば  （未定義、０１：０２：１５：０１、再生完）をＣＰＵ２１に出力する。
次に、ＣＰＵ２１では、入力した映像位置情報１０５から次に再生すべきフレームのタイムコード値、例えば（０１：０２：１５：０２）を取得して、次に再生すべきフレームと同一のフレームのタイムコード値、次に再生すべきフレームのタイムコード値、及びモード情報からなる記録再生制御情報１０６、例えば（未定義、０１：０２：１５：０２、再生）を第二記録再生部２２に出力する。
また、第二記録再生部２２が再生した第二記録情報１１３に重複映像区間情報１１１が含まれている場合、ＣＰＵ２１はその重複映像区間の一方の映像区間を早送り再生をするよう指示する記録再生制御情報１０６を生成して、第二記録再生部２２に出力する。その結果、第二記録再生部２２により、重複映像区間の一方の映像区間の早送り再生が行われる。
尚、上述の説明では、記録媒体７に記録した重複映像区間情報１１１を早送り再生に利用する場合について説明したが、外部の表示装置に対する表示やスキップ再生に利用することも可能である。
【００７０】
以上のように、本実施例の記録再生装置、及び記録再生方法では、重複映像区間記憶部８が、複数の同一映像位置情報１０３に基づいて、重複映像区間情報１１１を生成している。さらに、第二記録再生部２２が、その重複映像区間情報１１１を記録媒体７に記録している。これにより、本実施例の記録再生装置、及び記録再生方法では、例えばビデオ編集作業を行うとき、重複映像区間情報１１１をインデックス情報として利用することができ、そのビデオ編集作業を容易に行うことができる。
【００７１】
《第３の実施例》
［記録再生装置の構成］
図４は、本発明の第３の実施例である記録再生装置の構成を示すブロック図である。この実施例では、記録再生装置の構成において、重複映像区間情報に基づいて、ＣＭ区間を推定し検出するよう構成した。それ以外の各部は、第２の実施例のものと同様であるのでそれらの重複した説明は省略する。
図４に示すように、本実施例の記録再生装置では、ＣＭ区間検出部１０が重複映像区間記憶部８と記録媒体７に第三記録情報１１５を記録する第三記録再生部２３との間に設けられている。
ＣＭ区間検出部１０は、重複映像区間記憶部８からの重複映像区間情報１１１に基づいて、ＣＭ区間を推定し検出する。具体的にいえば、ＣＭ区間検出部１０は、重複映像区間情報１１１から重複している２つの映像区間の時間間隔を算出する。さらに、算出した時間間隔が所定のＭ秒（Ｍは正数）の倍数の値である場合、ＣＭ区間検出部１０は重複している２つの映像区間の間の映像がＣＭ部分の映像であると判断して、ＣＭ区間を示す情報を重複映像区間情報１１１に加えてＣＭ区間情報１１４として第三記録再生部２３に出力する。
第三記録再生部２３は、例えばＤＶＤ−ＲＡＭレコーダやＤＶＤ−Ｒドライブあるいは磁気光ディスク装置により構成され、モニターやスピーカを含む表示装置（図示せず）に接続されている。第三記録再生部２３は、ＣＰＵ２１からの記録再生制御情報１０６とＣＭ区間検出部１０からのＣＭ区間情報１１４に基づいて、デジタル放送信号記憶部９からのデジタル放送信号１００を含んだ第三記録情報１１５を記録媒体７に記録する。第三記録再生部２３は、ＣＰＵ２１からの記録再生制御情報１０６に基づいて、第三記録情報１１５を記録媒体７から再生する。デジタル放送信号記憶部９がデジタル放送信号受信部１からのデジタル放送信号１００を一時的に蓄積するので、第三記録再生部２３は入力したＣＭ区間情報１１４によりＣＭ区間として指定されるデジタル放送信号１００の先頭位置に当該ＣＭ区間情報１１４を容易に記録することができる。
【００７２】
［記録再生装置の動作］
以下、本実施例の記録再生装置の動作について、図４を用いて説明する。尚、以下の説明では、上述の第１、第２の実施例と異なる動作について主に説明する。
まず、本実施例の記録再生装置での記録動作について説明する。
ＣＭ区間検出部１０が重複映像区間記憶部８から重複映像区間情報１１１、例えば（０１：０２：１５：００−０１：０２：４５：００、０１：０３：１５：００−０１：０３：４５：００）を入力したとき、ＣＭ区間検出部１０は重複映像区間情報１１１から重複している２つの映像区間の時間間隔を算出する。すなわち、ＣＭ区間検出部１０は、タイムコード値（０１：０３：１５：００）とタイムコード値（０１：０２：４５：００）との差を算出して、重複している２つの映像区間の時間間隔を３０秒であると求める。そして、ＣＭ区間検出部１０は、その算出した３０秒が予め設定されたＣＭ部分の１スポットの時間、つまり上述のＭ秒の倍数かどうかについて判断する。例えばＭ秒として１５秒が設定されているときは、算出した３０秒がスポットの倍数、すなわち１５秒の倍数であるため、ＣＭ区間検出部１０は上述の映像区間の間の映像がＣＭ部分の映像であると判断する。その後、ＣＭ区間検出部１０は、例えば（０１：０２：１５：００−０１：０２：４５：００、ＣＭ区間、０１：０３：１５：００−０１：０３：４５：００）というＣＭ区間情報１１４を生成して第三記録再生部２３に出力する。
また、算出した時間間隔が上記スポットの倍数でない場合、ＣＭ区間検出部１０はＣＭ区間を示す情報を重複映像区間情報１１１に加えることなく、例えば（０１：０５：１５：００−０１：０５：４５：００、未定義、０１：０７：１５：００−０１：０７：４５：００）というＣＭ区間情報１１４を生成して第三記録再生部２３に出力する。
【００７３】
第三記録再生部２３では、ＣＰＵ２１からの記録再生制御情報１０６に基づいて、デジタル放送信号記憶部９からのデジタル放送信号１００を含んだ第三記録情報１１５を記録媒体７に記録する。また、第三記録再生部２３は、第２の実施例のものと同様に、第三記録情報１１５の記録動作を再開したとき、入力したＣＭ区間情報１１４を第三記録情報１１５に含めて、記録媒体７に記録する。このとき、第三記録再生部２３は、ＣＭ区間情報１１４を再生動作時に最初に読み出される記録媒体７上のファイルまたは記録したデジタル放送信号１００の先頭位置のファイルに記録することが好ましい。このように構成することにより、ＣＰＵ２１は、第１、第２の実施例のものと同様に、フレーム単位に転送指示情報１０４を出力して処理する処理動作を省略することができ、ＣＰＵ２１での処理負荷を軽減できる。また、再生動作時では、ＣＰＵ２１がＣＭ区間情報１１４のファイルを読み出すことにより、重複映像区間やＣＭ区間を予め確認することができ、その重複映像区間の一方の重複映像やＣＭ部分をスキップして再生することも容易に行うことが可能となる。
【００７４】
次に、本実施例の記録再生装置での再生動作について説明する。
第三記録再生部２３は、記録媒体７を再生して、デジタル放送信号１００のデータ、再生したフレームのタイムコード値、及び再生したフレームと同一のフレームのタイムコード値を含んだ第三記録情報１１５、例えば（デジタル映像情報、０１：０２：１５：０１、未定義）を取得する。そして、第三記録再生部２３は、その第三記録情報１１５に含まれたデジタル放送信号１００のデータを外部の表示装置等に出力する。同時に、第三記録再生部２３、現時点で再生を終了したフレームと同一のフレームのタイムコード値、現時点で再生を終了したフレームのタイムコード値、及びモード情報からなる映像位置情報１０５、例えば  （未定義、０１：０２：１５：０１、再生完）をＣＰＵ２１に出力する。
【００７５】
次に、ＣＰＵ２１では、入力した映像位置情報１０５から次に再生すべきフレームのタイムコード値、例えば（０１：０２：１５：０２）を取得して、次に再生すべきフレームと同一のフレームのタイムコード値、次に再生すべきフレームのタイムコード値、及びモード情報からなる記録再生制御情報１０６、例えば（未定義、０１：０２：１５：０２、再生）を第三記録再生部２３に出力する。
また、第三記録再生部２３が再生した第三記録情報１１５にＣＭ区間情報１１１が含まれている場合、ＣＰＵ２１はその重複映像区間の一方の映像区間及びＣＭ区間は早送り再生をするよう指示する記録再生制御情報１０６を生成して、第三記録再生部２３に出力する。その結果、第三記録再生部２３により、重複映像区間の一方の映像区間及びＣＭ区間の早送り再生が行われる。
尚、上記説明では、ＣＭ区間の判定に重複している２つの映像区間（ＣＭ区間）の時間間隔のみを用いる場合について説明した。しかし、ＣＭ区間検出部１０内において、ＣＭ区間でのシーンチェンジを検出することにより複数のＣＭ部分を検出し、其々のＣＭ部分の時間間隔を判定に併用することによってＣＭ区間の判定の精度を向上することができる。
【００７６】
以上のように、本実施例の記録再生装置、及び記録再生方法では、ＣＭ区間検出部１０が重複映像区間記憶部８からの重複映像区間情報１１１に基づいて、ＣＭ区間を検出しＣＭ区間情報１１４を生成している。さらに、第三記録再生部２３が、そのＣＭ区間情報１１４を記録媒体７に記録している。これにより、本実施例の記録再生装置、及び記録再生方法では、ＣＭ部分を容易に検出することができる。さらに、本実施例の記録再生装置、及び記録再生方法では、例えばビデオ編集作業を行うとき、ＣＭ区間情報１１４をインデックス情報として利用することができ、そのビデオ編集作業を容易に行うことができる。
【００７７】
尚、上述の第２、第３の実施例では、生成した重複映像区間情報１１１またはＣＭ区間情報１１４を重複している２つの映像区間のうち、後の映像区間に含まれるデジタル放送信号１００とともに記録媒体７に記録するために、デジタル放送信号受信部１と第二記録再生部２２または第三記録再生部２３との間にデジタル放送信号記憶部９を設けた構成について説明した。しかしながら、第二記録再生部２２及び第三記録再生部２３が、上述したように、それぞれ重複映像区間情報１１１及びＣＭ区間情報１１４を再生動作時に最初に読み出される記録媒体７上の先頭位置のファイルまたは記録したデジタル放送信号１００の先頭位置のファイルに記録するよう構成することも可能であり、このように構成した場合ではデジタル放送信号記憶部９を省略することも可能である。
【００７８】
《第４の実施例》
［記録再生装置の構成］
図５は、本発明の第４の実施例である記録再生装置の構成を示すブロック図である。この実施例では、記録再生装置の構成において、ＣＭ区間情報に基づいて、ＣＭ部分とそのＣＭ部分の前後で重複している映像区間の一方の映像を自動的に除いて記録媒体に記録するよう構成した。それ以外の各部は、第３の実施例のものと同様であるのでそれらの重複した説明は省略する。
図５に示すように、本実施例の記録再生装置では、ＣＭ区間情報１１４がＣＭ区間検出部１０からデジタル放送信号記憶部２５に出力されている。このデジタル放送信号記憶部２５は、ＣＰＵ２１からの蓄積指示情報１１２に基づいて、デジタル放送信号受信部１から入力したデジタル放送信号１００を記憶している。デジタル放送信号記憶部２５は、入力したＣＭ区間情報１１４に基づいて、記憶しているデジタル放送信号１００からＣＭ部分とそのＣＭ部分の前後で重複している映像区間の一方の映像を除いた記憶デジタル放送信号１１７を第四記録再生部２４に出力する。
第四記録再生部２４は、例えばＤＶＤ−ＲＡＭレコーダやＤＶＤ−Ｒドライブあるいは磁気光ディスク装置により構成され、モニターやスピーカを含む表示装置（図示せず）に接続されている。第四記録再生部２４は、ＣＰＵ２１からの記録再生制御情報１０６に基づいて、デジタル放送信号記憶部２５からの記憶デジタル放送信号１１７を含んだ第四記録情報１１８を記録媒体７に記録する。第四記録再生部２４は、ＣＰＵ２１からの記録再生制御情報１０６に基づいて、第四記録情報１１８を記録媒体７から再生する。
【００７９】
［記録再生装置の動作］
以下、本実施例の記録再生装置の動作について、図５を用いて説明する。尚、以下の説明では、上述の第１乃至第３の実施例と異なる動作について主に説明する。
まず、本実施例の記録再生装置での記録動作について説明する。
デジタル放送信号記憶部２５が、ＣＰＵ２１から蓄積指示情報１１２として、例えば（０１：０２：１５：０１、０１：０３：１５：０１、記録ポーズ）から（０１：０２：４５：００、０１：０３：４５：００、記録ポーズ）まで連続して入力すると、デジタル放送信号記憶部２５はタイムコード値（０１：０２：１５：０１）〜（０１：０３：４５：００）までのデジタル放送信号１００を記憶しておく。その後、デジタル放送信号記憶部２５は、（０１：０２：４５：０１、０１：０３：４５：０１、記録）という書き込みを指示する指示情報をＣＰＵ２１から入力したとき、同時に、デジタル放送信号記憶部２５にはＣＭ区間検出部１０からＣＭ区間情報１１４（０１：０２：１５：００−０１：０２：４５：００、ＣＭ区間、０１：０３：１５：００−０１：０３：４５：００）を入力する。
【００８０】
続いて、デジタル放送信号記憶部２５は、入力したＣＭ区間情報１１４（０１：０２：１５：００−０１：０２：４５：００、ＣＭ区間、０１：０３：１５：００−０１：０３：４５：００）に基づいて、記憶しているデジタル放送信号１００のうち、ＣＭ区間と判断されたタイムコード値（０１：０２：４５：０１）〜（０１：０３：１４：２９）までのＣＭ部分の映像を削除する。さらに、デジタル放送信号記憶部２５は、重複している２つの映像区間のうち、例えばＣＭ区間に続いている、タイムコード値（０１：０３：１５：００）〜（０１：０３：４５：００）までの映像を削除する。そして、デジタル放送信号記憶部２５は、タイムコード値（０１：０２：１５：００）〜（０１：０２：４５：００）までの映像を含む記憶デジタル放送信号１１７を第四記録再生部２４にフレーム単位に順次出力する。
【００８１】
次に、第四記録再生部２４は、ＣＰＵ２１からの記録再生制御情報１０６に基づいて、デジタル放送信号記憶部２５から順次入力した記憶デジタル放送信号１１７を含んだ第四記録情報１１８を記録媒体７に記録する。これにより、ＣＭ部分とそのＣＭ部分の後で重複している映像区間の映像が自動的に除かれ、記録される。
一方、本実施例の記録再生装置が再生動作を行う場合、記録媒体７を再生して例えばタイムコード値（０１：０３：１５：００）のデジタル放送信号１００と映像位置情報１０５により構成される第四記録情報１１８を取得し、再生を終了したフレームのタイムコード値（０１：０３：１５：０１）を含む映像位置情報１０５をＣＰＵ２１に出力する。
【００８２】
以上のように、本実施例の記録再生装置、及び記録再生方法では、デジタル放送信号記憶部２５がＣＰＵ２１からの蓄積指示情報１１２に基づきデジタル放送信号受信部１から入力したデジタル放送信号１００を記憶している。さらに、デジタル放送信号記憶部２５は、ＣＭ区間検出部１０から入力したＣＭ区間情報１１４に基づいて、記憶しているデジタル放送信号１００からＣＭ部分とそのＣＭ部分の前後で重複している映像区間の一方の映像を除いた記憶デジタル放送信号１１７を第四記録再生部２４に出力している。これにより、本実施例の記録再生装置、及び記録再生方法では、検出したＣＭ部分とそのＣＭ部分の前後で重複している映像区間の一方の映像を自動的に除いて記録することができる。
【００８３】
《第５の実施例》
［記録再生装置の構成］
図６は、本発明の第５の実施例である記録再生装置の構成を示すブロック図である。この実施例では、記録再生装置の構成において、デジタル映像情報に含まれる動きベクトル情報をフレーム単位に検出して、検出した動きベクトル情報に基づいて、同一のフレームかどうかに判断するよう構成した。それ以外の各部は、第１の実施例のものと同様であるのでそれらの重複した説明は省略する。
図６に示すように、本実施例の記録再生装置は、デジタル放送信号受信部１に順次接続された動きベクトル検出部１２、動きベクトル差分情報検出部１４、及び動きベクトル情報記憶部１３を備えている。
動きベクトル検出部１２は、デジタル放送信号受信部１からデジタル映像情報１０１をフレーム単位に入力して、動きベクトル情報１２０を出力する。この動きベクトル情報１２０は、例えばＭＰＥＧ２規格に示されているように、入力したフレームと１つ前のフレームあるいは参照フレームにおいて、同じ絵柄の部分の移動量をマクロブロック単位でＸ座標（水平成分）とＹ座標（垂直成分）によって表したものである。
動きベクトル情報記憶部１３は、動きベクトル差分情報検出部１４を経て入力した動きベクトル情報１２０を複数のフレーム分記憶し、記憶している動きベクトル情報１２０を記憶動きベクトル情報１２１としてフレーム単位に動きベクトル差分情報検出部１４に順次出力する。
【００８４】
動きベクトル差分情報検出部１４は、動きベクトル検出部１２から動きベクトル情報１２０を入力し、動きベクトル情報記憶部１３から記憶動きベクトル情報１２１をフレーム単位に順次入力する。動きベクトル差分情報検出部１４は、今回入力した動きベクトル情報１２０と順次入力した各記憶動きベクトル情報１２１とのビット比較を行い、動きベクトル情報１２０が記憶動きベクトル情報１２１と同一の映像（フレーム）かどうかについて判断する。詳細にいえば、動きベクトル差分情報検出部１４は、動きベクトル情報１２０と各記憶動きベクトル情報１２１とのビットの差分の和を算出する。算出した差分の和が０あるいはしきい値Ｎ’（Ｎ’は整数、例えば”１”）以下である場合、動きベクトル差分情報検出部１４は、今回入力した動きベクトル情報１２０及び記憶動きベクトル情報１２１のフレームが同一であると判断して、それらのフレームのアドレス情報を用いて同一映像位置情報１０３を生成し映像差分情報記憶部４に出力する。
一方、全ての動きベクトル情報１２１とのビット比較に結果において、算出した差分の和がしきい値Ｎ’を超えた場合、動きベクトル差分情報検出部１４は、今回入力した動きベクトル情報１２０のフレームと同一のフレームが存在しないと判断して、動きベクトル情報１２０のフレームのアドレス情報を用いて、同一映像位置情報１０３を生成し映像差分情報記憶部４に出力する。
【００８５】
［記録再生装置の動作］
以下、本実施例の記録再生装置の動作について、図６を用いて説明する。尚、以下の説明では、上述の第１の実施例と異なる動作について主に説明する。また、本実施例の記録再生装置での再生動作は、第１の実施例と同一であるのでその重複した説明は省略する。
まず、動きベクトル検出部１２が、例えばタイムコード値（０１：０３：１５：００）をもつフレームのデジタル映像情報１０１を入力すると、動きベクトル検出部１２は、例えば（Ｘ、Ｙ）＝（１０、４）で示された動きベクトル情報１２０をマクロブロック単位で検出して、動きベクトル差分情報検出部１４に出力する。
次に、動きベクトル差分情報検出部１４は入力した動きベクトル情報１２０を動きベクトル情報記憶部１３に出力するとともに、入力した動きベクトル情報１２０を保持する。その後、動きベクトル情報記憶部１３は、例えばタイムコード値（０１：０３：１５：００）をもつフレームの入力した動きベクトル情報１２０（１０、４）を記憶する。同時に、動きベクトル情報記憶部１３は、現時点で記憶している、例えばタイムコード値（０１：０２：１５：００）〜（０１：０３：１４：２９）をもつ各フレームの動きベクトル情報１２０（１０、４）〜（２、３）を順次記憶動きベクトル情報１２１として動きベクトル差分情報検出部１４に出力する。
【００８６】
続いて、動きベクトル差分情報検出部１４は、記憶している動きベクトル情報１２０（１０、４）と、動きベクトル情報記憶部１３から順次入力する記憶動きベクトル情報１２１（１０、４）〜（２、３）とのビット比較を行う。詳細にいえば、例えばタイムコード値（０１：０３：１５：００）をもつフレームの動きベクトル情報１２０（１０、４）とタイムコード値（０１：０２：１５：００）をもつフレームの記憶動きベクトル情報１２１（１０、４）とのビット比較の差分の和は０となる。従って、動きベクトル差分情報検出部１４は、これらの２つのフレームは同一のフレームであると判断して、２つのタイムコード値をもつ同一映像位置情報１０３（０１：０２：１５：００、０１：０３：１５：００）を生成し映像差分情報記憶部４に出力する。
また、異なるフレームであると判断した場合、動きベクトル差分情報検出部１４は、第１の実施例のものと同様に、今回入力した動きベクトル情報１２０を有するフレームのタイムコード値だけを含んだ同一映像位置情報１０３、例えば（未定義、０１：０３：１５：０１）を生成し映像差分情報記憶部４に出力する。
【００８７】
以上のように、本実施例の記録再生装置、及び記録再生方法では、動きベクトル検出部１２が受信したデジタル映像情報１０１から動きベクトル情報１２０を検出している。さらに、動きベクトル差分情報検出部１４が、検出した動きベクトル情報１２０を用いて、同一の重複したフレームが以前に受信し記憶している複数のフレーム中に存在するかどうかを判別するための差分算出処理（比較処理）を実施している。これにより、本実施例の記録再生装置、及び記録再生方法では、第１の実施例のものに比べて、上述の比較処理を簡略化することができ、処理速度を容易に向上することが可能となる。
【００８８】
尚、動きベクトル情報記憶部１３が、例えば図３に示した映像情報記憶部２０と同様に、前記映像差分情報記憶部４から同一映像位置情報１０３を入力して、入力した同一映像位置情報１０３に基づいて、１つのフレームの動きベクトル情報１２０を選択して記憶動きベクトル情報１２１として出力するよう構成してもよい。これにより、動きベクトル情報記憶部１３は、記憶している複数のフレーム分の動きベクトル情報１２０のうち、同一のフレームとなる可能性の高い１つのフレームのものを選択して記憶動きベクトル情報１２１として動きベクトル差分情報検出部１４に出力することが可能となり、動きベクトル差分情報検出部１４での比較処理動作を軽減することができる。
【００８９】
《第６の実施例》
図７は、本発明の第６の実施例である記録再生装置の構成を示すブロック図である。この実施例では、記録再生装置の構成において、アナログ方式のテレビジョン放送信号を受信してデジタル放送信号に変換するＡ／Ｄ変換部を設けた。それ以外の各部は、第１の実施例のものと同様であるのでそれらの重複した説明は省略する。
図７に示すように、本実施例の記録再生装置では、Ａ／Ｄ変換部１６がデジタル放送信号受信部１に接続されている。このＡ／Ｄ変換部１６は、アナログ方式のテレビション放送信号１３０を受信するチューナ、前記チューナに接続され、受信したテレビション放送信号１３０をデジタル信号に変換するＡ／Ｄコンバータ、及びＭＰＥＧ２規格に基づいて、Ａ／Ｄコンバータからのデジタル信号を圧縮符号化しデジタル放送信号１００として出力するＭＰＥＧエンコーダを備えている。詳細にいえば、Ａ／Ｄ変換部１６では、Ａ／Ｄコンバータがチューナによって受信したＮＴＳＣ方式やＰＡＬ方式等の既知のアナログ方式のテレビジョン放送信号１３０をデジタル信号に変換した後、ＭＰＥＧエンコーダがそのデジタル信号からＭＰＥＧ２規格に規定されているビデオストリームなどのビットストリームを生成しデジタル放送信号１００としてデジタル放送信号受信部１に出力する。また、既知のアナログ方式のテレビジョン放送信号１３０には、上述の第１の実施例に示したタイムコード値等のアドレス情報（時間情報）と同等のフレーム単位の情報を含んでいないが、ＭＰＥＧエンコーダがビットストリームを生成するとき、そのフレーム単位の情報もまた生成され各フレームに付与される。それゆえ、本実施例の記録再生装置、及び記録再生方法では、第１の実施例のものと同様の作用・効果を得ることができる。
尚、上記説明では、図１に示した第１の実施例の記録再生装置にＡ／Ｄ変換部１６を接続した例について説明したが、図３乃至図６に示した他の実施例の記録再生装置にＡ／Ｄ変換部１６を接続する構成でもよい。
【００９０】
尚、上述の第１乃至第６の実施例における記録再生装置の記録再生処理は、いずれもコンピュータ・プログラム化することができるので、コンピュータにより実行可能な記録媒体にて本願の記録再生方法を提供することも可能である。ここでいうところの記録媒体とは、フロッピーディスク（登録商標）、ＣＤ−ＲＯＭ、ＤＶＤ、光磁気ディスク、及びリムーバブル・ハードディスク等である。
また、第１乃至第５の実施例では、地上波デジタル放送やデジタル衛星放送のデジタル放送信号を受信して記録再生する構成について説明したが、デジタルケーブルテレビ（Ｄ−ＣＡＴＶ）を含む有線方式のデジタル放送のデジタル放送信号を受信して記録再生する構成でもよい。さらに、デジタル放送信号がＭＰＥＧ２規格に基づいて圧縮符号化されたデータにより構成されている場合について説明したが、これに限定されるものではなく、記録再生対象のデジタル放送信号は他の高能率圧縮符号化技術によって圧縮符号化されたデータであってもよい。
【００９１】
【発明の効果】
本発明の記録再生装置、及び記録再生方法では、映像差分情報検出部がデジタル放送信号受信部からのデジタル映像情報と、そのデジタル映像情報より前に受信され、映像情報記憶部に記憶されている（記憶）デジタル映像情報とを比較する。映像差分情報検出部は、上記の比較結果に基づいて、同一の重複したフレームが存在するかどうかについて検出、判別する。さらに、映像差分情報検出部は、比較結果に基づき同一映像位置情報を生成して、映像差分情報記憶部に保持する。また、記録再生部は、デジタル放送信号受信部からのデジタル放送信号とともに映像差分情報記憶部からの同一映像位置情報を記録媒体に記録している。これにより、本発明の記録再生装置、及び記録再生方法では、例えばビデオ編集作業を行うとき、同一映像位置情報をインデックス情報として利用することができ、そのビデオ編集作業を容易に行うことができる。
【００９２】
また、別の観点による発明の記録再生装置、及び記録再生方法では、重複映像区間記憶部が複数の同一映像位置情報に基づき重複映像区間を示す重複映像区間情報を生成して、第二記録再生部が受信したデジタル放送信号とともに重複映像区間情報を記録媒体に記録している。これにより、この発明の記録再生装置、及び記録再生方法では、重複映像区間を容易に検出することができ、記録したテレビジョン放送信号（番組）のビデオ編集作業を容易に行える。
また、別の観点による発明の記録再生装置、及び記録再生方法では、ＣＭ区間検出部が重複映像区間情報に基づきＣＭ区間情報を生成して、第三記録再生部が受信したデジタル放送信号とともにＣＭ区間情報を記録媒体に記録している。これにより、この発明の記録再生装置、及び記録再生方法では、ＣＭ区間を確実に検出することができ、記録したテレビジョン放送信号（番組）のビデオ編集作業を容易に行える。
【００９３】
また、別の観点による発明の記録再生装置、及び記録再生方法では、第三記録再生部がデジタル放送信号を記録する記録媒体上のファイルまたは記録したデジタル放送信号のファイルにＣＭ区間情報を記録している。これにより、この発明の記録再生装置、及び記録再生方法では、記録したテレビジョン放送信号のうちＣＭ部分を容易、かつ確実に検出することができ、記録したテレビジョン放送信号（番組）のビデオ編集作業を容易に行える。
また、別の観点による発明の記録再生装置、及び記録再生方法では、デジタル放送信号受信部からのデジタル放送信号を一時的に蓄積するデジタル放送信号記憶部をデジタル放送信号受信部と第三記録再生部との間に設けている。さらに、この発明の記録再生装置、及び記録再生方法では、第三記録再生部が入力したＣＭ区間情報によりＣＭ区間として指定されるデジタル放送信号の先頭位置に前記ＣＭ区間情報を記録している。これにより、この発明の記録再生装置、及び記録再生方法では、記録したテレビジョン放送信号のうちＣＭ部分を確実に検出することができ、記録したテレビジョン放送信号（番組）のビデオ編集作業を容易に行える。
【００９４】
また、別の観点による発明の記録再生装置、及び記録再生方法では、デジタル放送信号記憶部がデジタル放送信号受信部からのデジタル放送信号を一時的に蓄積している。さらに、デジタル放送信号記憶部は、ＣＭ区間検出部からのＣＭ区間情報に基づいて、蓄積しているデジタル放送信号のうちＣＭ部分とそのＣＭ部分の前後で重複している映像区間の一方のデジタル放送信号を除いた記憶デジタル放送信号を出力している。第四記録再生部が、デジタル放送信号記憶部からの記憶デジタル放送信号を記録媒体に記録している。これにより、この発明の記録再生装置、及び記録再生方法では、記録したテレビジョン放送信号のうちＣＭ部分を容易、かつ確実に検出することができ、検出したＣＭ部分とそのＣＭ部分の前後で重複している映像区間の一方のデジタル放送信号を自動的に除いて記録媒体に記録することができる。
【００９５】
また、別の観点による発明の記録再生装置、及び記録再生方法では、動きベクトル差分情報検出部が動きベクトル検出部からの動くベクトル情報と、その動きベクトル情報より前に受信され、動きベクトル情報記憶部に記憶されている（記憶）動きベクトル情報とを比較する。動きベクトル差分情報検出部は、上記の比較結果に基づいて、同一の重複したフレームが存在するかどうかについて検出、判別する。さらに、動きベクトル差分情報検出部は、比較結果に基づき同一映像位置情報を生成して、映像差分情報記憶部に保持する。また、記録再生部は、デジタル放送信号受信部からのデジタル放送信号とともに映像差分情報記憶部からの同一映像位置情報を記録媒体に記録している。これにより、この発明の記録再生装置、及び記録再生方法では、例えばビデオ編集作業を行うとき、同一映像位置情報をインデックス情報として利用することができ、そのビデオ編集作業を容易に行うことができる。さらに、受信したテレビジョン放送信号のうち同一の重複する映像信号の検出処理を簡略化することができ、処理速度を向上できる。
【００９６】
また、別の観点による発明の記録再生装置、及び記録再生方法では、映像情報記憶部が、映像差分情報記憶部から同一映像位置情報を入力して、記憶している複数のフレーム分のデジタル映像情報のうち、入力した同一映像位置情報に基づき１つのフレームを選択して記憶デジタル映像情報として出力している。これにより、この発明の記録再生装置、及び記録再生方法では、同一映像位置情報を生成する処理を軽減することができる。
また、別の観点による発明の記録再生装置、及び記録再生方法では、動きベクトル情報記憶部が、前記映像差分情報記憶部から同一映像位置情報を入力して、記憶している複数のフレーム分の動きベクトル情報のうち、入力した同一映像位置情報に基づき１つのフレームの動きベクトル情報を選択して記憶動きベクトル情報として出力している。これにより、この発明の記録再生装置、及び記録再生方法では、同一映像位置情報を生成する処理を軽減することができる。
【００９７】
また、別の観点による発明の記録再生装置、及び記録再生方法では、アナログ方式のテレビジョン放送信号を前記デジタル放送信号に変換するＡ／Ｄ変換部を備えている。これにより、この発明の記録再生装置、及び記録再生方法では、アナログ方式のテレビジョン放送信号に含まれる同一の重複する映像信号をフレーム単位に検出することができる。
また、本発明の記録再生方法は、コンピュータ・プログラム化することができるので、上述の第１乃至第６の各実施例に示した記録再生方法をコンピュータにより実行可能な記録媒体に記録して実施することも可能である。
【図面の簡単な説明】
【図１】本発明の第１の実施例である記録再生装置の構成を示すブロック図
【図２】図１に示した記録再生装置に用いられる情報の具体例を示す説明図
【図３】本発明の第２の実施例である記録再生装置の構成を示すブロック図
【図４】本発明の第３の実施例である記録再生装置の構成を示すブロック図
【図５】本発明の第４の実施例である記録再生装置の構成を示すブロック図
【図６】本発明の第５の実施例である記録再生装置の構成を示すブロック図
【図７】本発明の第６の実施例である記録再生装置の構成を示すブロック図
【図８】従来の記録再生装置の構成を示すブロック図
【符号の説明】
１        デジタル放送信号受信部
２，２０  映像情報記憶部
３        映像差分情報検出部
４        映像差分情報記憶部
６        記録再生部
７        記録媒体
８        重複映像区間記憶部
９，２５  デジタル放送信号記憶部
１０        ＣＭ区間検出部
１２        動きベクトル検出部
１３        動きベクトル情報記憶部
１４        動きベクトル差分情報検出部
１６        Ａ／Ｄ変換部
２２        第二記録再生部
２３        第三記録再生部
２４        第四記録再生部
【図１】
0003590275.tif 000002
【図２】
0003590275.tif 000003
【図３】
0003590275.tif 000004
【図４】
0003590275.tif 000005
【図５】
0003590275.tif 000006
【図６】
0003590275.tif 000007
【図７】
0003590275.tif 000008
【図８】
0003590275.tif 000009